(57)【要約】  本願は測定情報の報告方法、端末装置の構成方法及び装置を提供する。該測定情報の報告方法はアイドル状態又は非アクティブ状態にある端末装置に適用され、該方法は、該端末装置が少なくとも１つのセルの信号品質を測定することと、該端末装置が上記少なくとも１つのセルにおける各セルの信号品質に応じて測定情報を報告することと、を含む。本願の実施例では、アイドル状態又は非アクティブ状態にある端末装置はセルの信号品質を直接に測定して測定情報を報告することで、端末装置がまずアクティブ状態に入り、その後、ネットワーク装置が報告された測定結果及び確立されたベアラに応じて端末装置に対して補助ネットワーク装置又は補助サービスセルを構成することを回避し、遅延を効果的に低減させるとともに、シグナリングオーバーヘッドを減少させる。
2021525038.tif 000002
【特許請求の範囲】
【請求項１】
測定情報の報告方法であって、アイドル状態又は非アクティブ状態にある端末装置に適用され、前記方法は、
前記端末装置が少なくとも１つのセルの信号品質を測定することと、
前記端末装置が前記少なくとも１つのセルにおける各セルの信号品質に応じて測定情報を報告することと、を含むことを特徴とする測定情報の報告方法。
【請求項２】
前記端末装置が少なくとも１つのセルの信号品質を測定する前に、前記方法は更に、
前記端末装置がネットワーク装置からブロードキャストされた第１指示情報を受信することと、
前記端末装置が前記第１指示情報に応じて前記少なくとも１つのセルを決定することと、を含み、
前記第１指示情報は、前記少なくとも１つのセルが属する少なくとも１つのセルグループの識別子、前記少なくとも１つのセルの識別子、測定周波数及びサブキャリア間隔のうちの少なくとも１つを含むことを特徴とする請求項１に記載の方法。
【請求項３】
前記端末装置が前記少なくとも１つのセルにおける各セルの信号品質に応じて測定情報を報告することは、
前記端末装置が閾値を決定することと、
前記端末装置は前記各セルの信号品質が前記閾値を満たすか否かに応じて、前記測定情報を生成して報告することと、を含むことを特徴とする請求項１又は２に記載の方法。
【請求項４】
前記測定情報はターゲットセルグループの識別子及び／又はターゲットセルの識別子を含み、前記ターゲットセルグループにおける各セルグループは前記閾値を満たす少なくとも１つのセルを含み、前記ターゲットセルは前記少なくとも１つのセルのうち前記閾値を満たすセルであることを特徴とする請求項３に記載の方法。
【請求項５】
前記測定情報は、前記各セルの信号品質が閾値を満たすか否かを指示するための第２指示情報を含むことを特徴とする請求項３に記載の方法。
【請求項６】
前記第２指示情報は少なくとも１つのビットシーケンスを含み、前記少なくとも１つのビットシーケンスにおける第１ビットシーケンスは、前記少なくとも１つのセルグループにおける第１セルグループ中の各セルの信号品質が前記閾値を満たすか否かを示すためのものであることを特徴とする請求項５に記載の方法。
【請求項７】
前記少なくとも１つのビットシーケンスにおける各ビットシーケンスは、セルの信号品質が前記閾値を満たすことを示すビットを少なくとも１つ有することを特徴とする請求項６に記載の方法。
【請求項８】
前記第２指示情報は、前記第１ビットシーケンスと前記第１セルグループの識別子との対応関係を更に含むことを特徴とする請求項６又は７に記載の方法。
【請求項９】
前記第１ビットシーケンスは、セルの信号品質が前記閾値を満たさないことを示すための第１数値、及び／又は、セルの信号品質が前記閾値を満たすことを示すための第２数値を含むことを特徴とする請求項６〜８のいずれか一項に記載の方法。
【請求項１０】
前記第１数値は０であり、前記第２数値は１であることを特徴とする請求項９に記載の方法。
【請求項１１】
前記端末装置が前記少なくとも１つのセルにおける各セルの信号品質に応じて測定情報を報告する前に、前記方法は更に、
前記端末装置が前記ネットワーク装置からブロードキャストされた前記閾値を受信することを含むことを特徴とする請求項３〜１０のいずれか一項に記載の方法。
【請求項１２】
前記閾値は事前設定された閾値であることを特徴とする請求項３〜１１のいずれか一項に記載の方法。
【請求項１３】
前記閾値は、リファレンス信号受信電力（ＲＳＲＰ）閾値及び／又はリファレンス信号受信品質（ＲＳＲＱ）閾値を含むことを特徴とする請求項３〜１２のいずれか一項に記載の方法。
【請求項１４】
前記端末装置が前記少なくとも１つのセルにおける各セルの信号品質に応じて測定情報を報告することは、
前記端末装置が信号品質の降順で前記各セルの信号品質を前記ネットワーク装置に報告することを含むことを特徴とする請求項１又は２に記載の方法。
【請求項１５】
前記端末装置が前記少なくとも１つのセルにおける各セルの信号品質に応じて測定情報を報告することは、
前記端末装置が前記測定情報をメッセージ５（ＭＳＧ５）又はセキュリティモードコマンド又は測定レポートに含ませて、前記ネットワーク装置に報告することを含むことを特徴とする請求項１〜１４のいずれか一項に記載の方法。
【請求項１６】
前記端末装置が前記少なくとも１つのセルにおける各セルの信号品質に応じて測定情報を報告する前に、前記方法は更に、
前記端末装置は、前記測定情報をメッセージ５（ＭＳＧ５）又はセキュリティモードコマンド又は測定レポートに含ませて前記ネットワーク装置に報告することを前記端末装置に指示するための第３指示情報を、前記ネットワーク装置に送信することを含むことを特徴とする請求項１５に記載の方法。
【請求項１７】
前記端末装置が第３指示情報を前記ネットワーク装置に送信することは、
前記端末装置は前記第３指示情報を含むメッセージ３（ＭＳＧ３）を前記ネットワーク装置に送信することを含むことを特徴とする請求項１６に記載の方法。
【請求項１８】
端末装置の構成方法であって、
ネットワーク装置は端末装置から送信された、アイドル状態又は非接続状態にある前記端末装置が少なくとも１つのセルにおける各セルの信号品質に応じて生成した情報である測定情報を受信することと、
前記ネットワーク装置は前記測定情報に応じて、前記端末装置に対して補助ネットワーク装置及び／又は補助サービスセルを構成することと、を含むことを特徴とする端末装置の構成方法。
【請求項１９】
前記ネットワーク装置が端末装置から送信された測定情報を受信する前に、前記方法は更に、
前記ネットワーク装置は前記端末装置が前記少なくとも１つのセルを決定するための第１指示情報を、アイドル状態又は非アクティブ状態にある前記端末装置にブロードキャストすることを含み、
前記第１指示情報は、前記少なくとも１つのセルが属する少なくとも１つのセルグループの識別子、前記少なくとも１つのセルの識別子、測定周波数及びサブキャリア間隔のうちの少なくとも１つを含むことを特徴とする請求項１８に記載の方法。
【請求項２０】
前記ネットワーク装置が端末装置から送信された測定情報を受信する前に、前記方法は更に、
前記ネットワーク装置は前記端末装置が前記各セルの信号品質が閾値を満たすか否かに応じて前記測定情報を生成するための前記閾値を、前記端末装置にブロードキャストすることを含むことを特徴とする請求項１８又は１９に記載の方法。
【請求項２１】
前記測定情報はターゲットセルグループの識別子及び／又はターゲットセルの識別子を含み、前記ターゲットセルグループにおける各セルグループは閾値を満たす少なくとも１つのセルを含み、前記ターゲットセルは前記少なくとも１つのセルのうち閾値を満たすセルであることを特徴とする請求項２０に記載の方法。
【請求項２２】
前記測定情報は、前記各セルの信号品質が閾値を満たすか否かを指示するための第２指示情報を含むことを特徴とする請求項２０に記載の方法。
【請求項２３】
前記第２指示情報は少なくとも１つのビットシーケンスを含み、前記少なくとも１つのビットシーケンスにおける第１ビットシーケンスは前記少なくとも１つのセルグループにおける第１セルグループ中の各セルの信号品質が前記閾値を満たすか否かを示すためのものであることを特徴とする請求項２２に記載の方法。
【請求項２４】
前記少なくとも１つのビットシーケンスにおける各ビットシーケンスは、セルの信号品質が前記閾値を満たすことを示すビットを少なくとも１つ有することを特徴とする請求項２３に記載の方法。
【請求項２５】
前記第２指示情報は、前記第１ビットシーケンスと前記第１セルグループの識別子との対応関係を更に含むことを特徴とする請求項２３又は２４に記載の方法。
【請求項２６】
前記第１ビットシーケンスは、セルの信号品質が前記閾値を満たさないことを示すための第１数値、及び／又は、セルの信号品質が前記閾値を満たすことを示すための第２数値を含むことを特徴とする請求項２３〜２５のいずれか一項に記載の方法。
【請求項２７】
前記第１数値は０であり、前記第２数値は１であることを特徴とする請求項２６に記載の方法。
【請求項２８】
前記閾値は、リファレンス信号受信電力（ＲＳＲＰ）閾値及び／又はリファレンス信号受信品質（ＲＳＲＱ）閾値を含むことを特徴とする請求項２０〜２７のいずれか一項に記載の方法。
【請求項２９】
前記ネットワーク装置が端末装置から送信された測定情報を受信することは、
前記ネットワーク装置が信号品質の降順で、前記端末装置から報告された前記各セルの信号品質を受信することを含むことを特徴とする請求項１８又は１９に記載の方法。
【請求項３０】
前記ネットワーク装置が端末装置から送信された測定情報を受信することは、
前記ネットワーク装置が、前記端末装置から送信されたメッセージ５（ＭＳＧ５）又はセキュリティモードコマンド又は測定レポートに含まれる前記測定情報を受信することを含むことを特徴とする請求項１８〜２９のいずれか一項に記載の方法。
【請求項３１】
前記ネットワーク装置が端末装置から送信された測定情報を受信する前に、前記方法は更に、
前記ネットワーク装置は前記端末装置から送信された、前記測定情報をメッセージ５（ＭＳＧ５）又はセキュリティモードコマンド又は測定レポートに含ませて前記ネットワーク装置に報告することを前記端末装置に指示するための第３指示情報を受信することを含むことを特徴とする請求項３０に記載の方法。
【請求項３２】
前記ネットワーク装置が前記端末装置から送信された第３指示情報を受信することは、
前記ネットワーク装置は前記端末装置から送信された、前記第３指示情報を含むメッセージ３（ＭＳＧ３）を受信することを含むことを特徴とする請求項３１に記載の方法。
【請求項３３】
端末装置であって、アイドル状態又は非アクティブ状態にあり、
少なくとも１つのセルの信号品質を測定することに用いられる測定ユニットと、
前記少なくとも１つのセルにおける各セルの信号品質に応じて測定情報を報告することに用いられる前記通信ユニットと、を備えることを特徴とする端末装置。
【請求項３４】
ネットワーク装置であって、
端末装置から送信された、アイドル状態又は非接続状態にある前記端末装置が少なくとも１つのセルにおける各セルの信号品質に応じて生成した情報である測定情報を受信することに用いられる通信ユニットと、
前記測定情報に応じて、前記端末装置に対して補助ネットワーク装置及び／又は補助サービスセルを構成することに用いられる構成ユニットと、を備えることを特徴とするネットワーク装置。
【請求項３５】
請求項１〜１７のいずれか一項に記載の方法を実行するための命令を含むコンピュータプログラムを、メモリから呼び出して実行することに用いられるプロセッサを備えることを特徴とする端末装置。
【請求項３６】
請求項１８〜３２のいずれか一項に記載の方法を実行するための命令を含むコンピュータプログラムを、メモリから呼び出して実行することに用いられるプロセッサを備えることを特徴とするネットワーク装置。
【請求項３７】
請求項１〜１７のいずれか一項に記載の方法を実行するための命令を含むコンピュータプログラムを、メモリから呼び出して実行することに用いられるプロセッサを備えることを特徴とするチップ。
【請求項３８】
請求項１８〜３２のいずれか一項に記載の方法を実行するための命令を含むコンピュータプログラムを、メモリから呼び出して実行することに用いられるプロセッサを備えることを特徴とするチップ。
【請求項３９】
請求項１〜１７のいずれか一項に記載の方法を実行するための命令を含むコンピュータプログラムを記憶することに用いられることを特徴とする記憶媒体。
【請求項４０】
請求項１８〜３２のいずれか一項に記載の方法を実行するための命令を含むコンピュータプログラムを記憶することに用いられることを特徴とする記憶媒体。
【請求項４１】
コンピュータに請求項１〜１７のいずれか一項に記載の方法を実行させるコンピュータプログラム命令を含むことを特徴とするコンピュータプログラム製品。
【請求項４２】
コンピュータに請求項１８〜３２のいずれか一項に記載の方法を実行させるコンピュータプログラム命令を含むことを特徴とするコンピュータプログラム製品。
【請求項４３】
通信システムであって、アイドル状態又は非アクティブ状態にある端末装置、及びネットワーク装置を備え、
前記端末装置は、少なくとも１つのセルの信号品質を測定し、前記少なくとも１つのセルにおける各セルの信号品質に応じて測定情報を報告することに用いられ、
前記ネットワーク装置は、端末装置から送信された測定情報を受信し、前記測定情報に応じて、前記端末装置に対して補助ネットワーク装置及び／又は補助サービスセルを構成することに用いられることを特徴とする通信システム。
【発明の詳細な説明】
【技術分野】
【０００１】
本発明の実施例は通信分野に関し、より具体的に、測定情報の報告方法、端末装置の構成方法及び装置に関する。
【背景技術】
【０００２】
人々の速度、遅延、高速モビリティ、エネルギー効率に対する追求及び将来の生活中のサービスの多様性、複雑性に伴い、第３世代パートナーシッププロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰ）国際標準化組織は第５世代移動通信技術（５−Ｇｅｎｅｒａｔｉｏｎ、５Ｇ）の開発を開始している。
【０００３】
新無線（Ｎｅｗ  Ｒａｄｉｏ、ＮＲ）の初期デプロイでは、完全なＮＲカバレッジを実現するのが困難であるため、典型的なネットワークカバレッジは広域のロングタームエボリューション（Ｌｏｎｇ  Ｔｅｒｍ  Ｅｖｏｌｕｔｉｏｎ、ＬＴＥ）カバレッジ及びＮＲのアイランドカバレッジモードである。また、大量のＬＴＥは６ＧＨｚ以下でデプロイされているため、５Ｇに使用可能な６ＧＨｚ以下のスペクトルは非常に少ない。従って、ＮＲは６ＧＨｚ以上のスペクトルの使用を研究する必要がある一方、高周波帯域のカバレッジが制限され、信号フェージングが速い。従来技術では、モバイル事業者のＬＴＥへの初期投資を保護するために、ＬＴＥとＮＲとを緊密に相互作用させる（ｔｉｇｈｔ  ｉｎｔｅｒｗｏｒｋｉｎｇ）動作モードを提案している。具体的に、帯域幅（ｂａｎｄ）組み合わせによってＬＴＥ−ＮＲデュアル接続（Ｄｕａｌ  Ｃｏｎｎｅｃｔｉｏｎ、ＤＣ）伝送データをサポートし、即ち、１つのマスターノード（Ｍａｓｔｅｒ  Ｎｏｄｅ、ＭＮ）のカバレッジの下に別のスレーブノード（Ｓｌａｖｅ  Ｎｏｄｅ、ＳＮ）のカバレッジがあり、システムのスループットを向上させる。
【０００４】
しかしながら、通常、ＳＮノードの追加はＵＥから報告された測定結果に基づき、測定結果の報告はセキュアアクティブ化の後に行われる必要がある。従って、一般に、ＵＥは先ず非ＤＣモードに入り、次にベアラを確立し、測定結果がＳＮ追加要件を満たすと、無線リソース制御（Ｒａｄｉｏ  Ｒｅｓｏｕｒｃｅ  Ｃｏｎｔｒｏｌ、ＲＲＣ）接続再構成によってＤＣモードに入り、即ち、ＳＮノードの追加にはＲＲＣシグナリングを追加する必要があり、シグナリングオーバーヘッドが増加し、また、ベアラタイプを変更する必要があり、ベアラ変更によりデータ損失等を招く可能性が高い。
【発明の概要】
【発明が解決しようとする課題】
【０００５】
アイドル状態又は非アクティブ状態にある端末装置をデュアル接続モードにする際に、シグナリングオーバーヘッドを効果的に節約できるとともに、ベアラタイプの変更によるデータ損失を回避できる測定情報の報告方法、端末装置の構成方法及び装置を提供する。
【課題を解決するための手段】
【０００６】
第１態様では測定情報の報告方法を提供し、アイドル状態又は非アクティブ状態にある端末装置に適用され、前記方法は、
該端末装置が少なくとも１つのセルの信号品質を測定することと、
該端末装置が上記少なくとも１つのセルにおける各セルの信号品質に応じて測定情報を報告することと、を含む。
【０００７】
いくつかの可能な実施形態では、該端末装置が少なくとも１つのセルの信号品質を測定する前に、該方法は更に、
該端末装置がネットワーク装置からブロードキャストされた第１指示情報を受信することと、
該端末装置が該第１指示情報に応じて上記少なくとも１つのセルを決定することと、を含み、
該第１指示情報は、上記少なくとも１つのセルが属する少なくとも１つのセルグループの識別子、上記少なくとも１つのセルの識別子、測定周波数及びサブキャリア間隔のうちの少なくとも１つを含む。
【０００８】
いくつかの可能な実施形態では、該端末装置が上記少なくとも１つのセルにおける各セルの信号品質に応じて測定情報を報告することは、
該端末装置が閾値を決定することと、
該端末装置は上記各セルの信号品質が該閾値を満たすか否かに応じて、該測定情報を生成して報告することと、を含む。
【０００９】
いくつかの可能な実施形態では、該測定情報はターゲットセルグループの識別子及び／又はターゲットセルの識別子を含み、該ターゲットセルグループにおける各セルグループは該閾値を満たす少なくとも１つのセルを含み、該ターゲットセルは上記少なくとも１つのセルのうち該閾値を満たすセルである。
【００１０】
いくつかの可能な実施形態では、該測定情報は上記各セルの信号品質が閾値を満たすか否かを指示するための第２指示情報を含む。
【００１１】
いくつかの可能な実施形態では、該第２指示情報は少なくとも１つのビットシーケンスを含み、上記少なくとも１つのビットシーケンスにおける第１ビットシーケンスは上記少なくとも１つのセルグループにおける第１セルグループ中の各セルの信号品質が該閾値を満たすか否かを示すためのものである。
【００１２】
いくつかの可能な実施形態では、上記少なくとも１つのビットシーケンスにおける各ビットシーケンスはセルの信号品質が該閾値を満たすことを示すビットを少なくとも１つ有する。
【００１３】
いくつかの可能な実施形態では、該第２指示情報は、該第１ビットシーケンスと該第１セルグループの識別子との対応関係を更に含む。
【００１４】
いくつかの可能な実施形態では、該第１ビットシーケンスは、セルの信号品質が該閾値を満たさないことを示すための第１数値、及び／又は、セルの信号品質が該閾値を満たすことを示すための第２数値を含む。
【００１５】
いくつかの可能な実施形態では、該第１数値は０であり、該第２数値は１である。
【００１６】
いくつかの可能な実施形態では、該端末装置が上記少なくとも１つのセルにおける各セルの信号品質に応じて測定情報を報告する前に、該方法は更に、
該端末装置が該ネットワーク装置からブロードキャストされた該閾値を受信することを含む。
【００１７】
いくつかの可能な実施形態では、該閾値は事前設定された閾値である。
【００１８】
いくつかの可能な実施形態では、該閾値はリファレンス信号受信電力（ＲＳＲＰ）閾値及び／又はリファレンス信号受信品質（ＲＳＲＱ）閾値を含む。
【００１９】
いくつかの可能な実施形態では、該端末装置が上記少なくとも１つのセルにおける各セルの信号品質に応じて測定情報を報告することは、
該端末装置が信号品質の降順で上記各セルの信号品質を該ネットワーク装置に報告することを含む。
【００２０】
いくつかの可能な実施形態では、該端末装置が上記少なくとも１つのセルにおける各セルの信号品質に応じて測定情報を報告することは、
該端末装置が該測定情報をメッセージ５（ＭＳＧ５）又はセキュリティモードコマンド又は測定レポートに含ませて該ネットワーク装置に報告することを含む。
【００２１】
いくつかの可能な実施形態では、該端末装置が上記少なくとも１つのセルにおける各セルの信号品質に応じて測定情報を報告する前に、該方法は更に、
該端末装置は、該測定情報をメッセージ５（ＭＳＧ５）又はセキュリティモードコマンド又は測定レポートに含ませて該ネットワーク装置に報告することを該端末装置に指示するための第３指示情報を、該ネットワーク装置に送信することを含む。
【００２２】
いくつかの可能な実施形態では、該端末装置が第３指示情報を該ネットワーク装置に送信することは、
該端末装置は該第３指示情報を含むメッセージ３（ＭＳＧ３）を該ネットワーク装置に送信することを含む。
【００２３】
第２態様では端末装置の構成方法を提供し、
ネットワーク装置は端末装置から送信された、アイドル状態又は非接続状態にある該端末装置が少なくとも１つのセルにおける各セルの信号品質に応じて生成した情報である測定情報を受信することと、
該ネットワーク装置が該測定情報に応じて、該端末装置に対して補助ネットワーク装置及び／又は補助サービスセルを構成することと、を含む。
【００２４】
いくつかの可能な実施形態では、該ネットワーク装置が端末装置から送信された測定情報を受信する前に、該方法は更に、
該ネットワーク装置は該端末装置が上記少なくとも１つのセルを決定するための第１指示情報を、アイドル状態又は非アクティブ状態にある該端末装置にブロードキャストすることを含み、
該第１指示情報は、上記少なくとも１つのセルが属する少なくとも１つのセルグループの識別子、上記少なくとも１つのセルの識別子、測定周波数及びサブキャリア間隔のうちの少なくとも１つを含む。
【００２５】
いくつかの可能な実施形態では、該ネットワーク装置が端末装置から送信された測定情報を受信する前に、該方法は更に、
該ネットワーク装置は該端末装置が上記各セルの信号品質が閾値を満たすか否かに応じて該測定情報を生成するための該閾値を、該端末装置にブロードキャストすることを含む。
【００２６】
いくつかの可能な実施形態では、該測定情報はターゲットセルグループの識別子及び／又はターゲットセルの識別子を含み、該ターゲットセルグループにおける各セルグループは閾値を満たす少なくとも１つのセルを含み、該ターゲットセルは上記少なくとも１つのセルのうち閾値を満たすセルである。
【００２７】
いくつかの可能な実施形態では、該測定情報は上記各セルの信号品質が閾値を満たすか否かを指示するための第２指示情報を含む。
【００２８】
いくつかの可能な実施形態では、該第２指示情報は少なくとも１つのビットシーケンスを含み、上記少なくとも１つのビットシーケンスにおける第１ビットシーケンスは上記少なくとも１つのセルグループにおける第１セルグループ中の各セルの信号品質が該閾値を満たすか否かを示すためのものである。
【００２９】
いくつかの可能な実施形態では、上記少なくとも１つのビットシーケンスにおける各ビットシーケンスは、セルの信号品質が該閾値を満たすことを示すビットを少なくとも１つ有する。
【００３０】
いくつかの可能な実施形態では、該第２指示情報は該第１ビットシーケンスと該第１セルグループの識別子との対応関係を更に含む。
【００３１】
いくつかの可能な実施形態では、該第１ビットシーケンスは、セルの信号品質が該閾値を満たさないことを示すための第１数値、及び／又は、セルの信号品質が該閾値を満たすことを示すための第２数値を含む。
【００３２】
いくつかの可能な実施形態では、該第１数値は０であり、該第２数値は１である。
【００３３】
いくつかの可能な実施形態では、該閾値はリファレンス信号受信電力（ＲＳＲＰ）閾値及び／又はリファレンス信号受信品質（ＲＳＲＱ）閾値を含む。
【００３４】
いくつかの可能な実施形態では、該ネットワーク装置が端末装置から送信された測定情報を受信することは、
該ネットワーク装置が信号品質の降順で、該端末装置から報告された上記各セルの信号品質を受信することを含む。
【００３５】
いくつかの可能な実施形態では、該ネットワーク装置が端末装置から送信された測定情報を受信することは、
該ネットワーク装置は該端末装置から送信されたメッセージ５（ＭＳＧ５）又はセキュリティモードコマンド又は測定レポートに含まれる該測定情報を受信することを含む。
【００３６】
いくつかの可能な実施形態では、該ネットワーク装置が端末装置から送信された測定情報を受信する前に、該方法は更に、
該ネットワーク装置は該端末装置から送信された、該測定情報をメッセージ５（ＭＳＧ５）又はセキュリティモードコマンド又は測定レポートに含ませて該ネットワーク装置に報告することを該端末装置に指示するための第３指示情報を受信することを含む。
【００３７】
いくつかの可能な実施形態では、該ネットワーク装置が端末装置から送信された第３指示情報を受信することは、
該ネットワーク装置は該端末装置から送信された、該第３指示情報を含むメッセージ３（ＭＳＧ３）を受信することを含む。
【００３８】
第３態様では通信装置を提供し、上記第１態様〜第２態様のいずれかに記載の方法又は上記可能な実施形態のいずれかに記載の方法を実行することに用いられる。
【００３９】
いくつかの可能な実施形態では、前記通信装置は、上記第１態様〜第２態様のいずれかに記載の方法又は上記可能な実施形態のいずれかに記載の方法を実行することに用いられる機能モジュールを備える。
【００４０】
いくつかの可能な実施形態では、前記通信装置は端末装置であり、前記端末装置は上記第１態様又は上記第１態様の可能な実施形態のいずれかに記載の方法を実行することに用いられる。
【００４１】
いくつかの可能な実施形態では、前記通信装置はネットワーク装置であり、前記ネットワーク装置は上記第２態様又は上記第２態様の可能な実施形態のいずれかに記載の方法を実行することに用いられる。
【００４２】
第４態様では通信装置を提供し、上記第１態様〜第２態様のいずれかに記載の方法又は上記可能な実施形態のいずれかに記載の方法を実行するためのコンピュータプログラムをメモリから呼び出して実行することに用いられるプロセッサを備える。
【００４３】
いくつかの可能な実施形態では、前記通信装置は、前記コンピュータプログラムを記憶することに用いられるメモリを更に備える。
【００４４】
いくつかの可能な実施形態では、前記通信装置は端末装置であり、前記端末装置は上記第１態様又は上記第１態様の可能な実施形態のいずれかに記載の方法を実行することに用いられる。
【００４５】
いくつかの可能な実施形態では、前記通信装置はネットワーク装置であり、前記ネットワーク装置は上記第２態様又は上記第２態様の可能な実施形態のいずれかに記載の方法を実行することに用いられる。
【００４６】
第５態様ではチップを提供し、上記第１態様〜第２態様のいずれかに記載の方法又は上記可能な実施形態のいずれかに記載の方法を実行することに用いられる。
【００４７】
いくつかの可能な実施形態では、前記チップは、上記第１態様〜第２態様のいずれかに記載の方法又は上記可能な実施形態のいずれかに記載の方法を実行するためのコンピュータプログラムをメモリから呼び出して実行することに用いられるプロセッサを備える。
【００４８】
いくつかの可能な実施形態では、前記チップは、前記コンピュータプログラムを記憶することに用いられるメモリを更に備える。
【００４９】
第６態様ではコンピュータ可読記憶媒体を提供し、前記記憶媒体は、上記第１態様〜第２態様のいずれかに記載の方法又は上記可能な実施形態のいずれかに記載の方法を実行するためのコンピュータプログラムを記憶することに用いられる。
【００５０】
第７態様ではコンピュータプログラム製品を提供し、上記第１態様〜第２態様のいずれかに記載の方法又は上記可能な実施形態のいずれかに記載の方法を実行するためのコンピュータプログラム命令を含む。
【００５１】
第８態様ではコンピュータプログラムを提供し、コンピュータにより実行されると、コンピュータに上記第１態様〜第２態様のいずれかに記載の方法又は上記可能な実施形態のいずれかに記載の方法を実行させる。
【００５２】
第９態様では通信システムを提供し、アイドル状態又は非アクティブ状態にある端末装置、及びネットワーク装置を備え、
前記端末装置は、少なくとも１つのセルの信号品質を測定し、前記少なくとも１つのセルにおける各セルの信号品質に応じて測定情報を報告することに用いられ、
前記ネットワーク装置は、端末装置から送信された測定情報を受信し、前記測定情報に応じて、前記端末装置に対して補助ネットワーク装置及び／又は補助サービスセルを構成することに用いられる。
【００５３】
いくつかの可能な実施形態では、前記端末装置は上記第１態様に記載の方法又は上記可能な実施形態のいずれかに記載の方法を実行することに用いられ、前記ネットワーク装置は上記第２態様のいずれか又はその各実施形態に記載の方法を実行することに用いられる。
【発明の効果】
【００５４】
本願の実施例では、アイドル状態又は非アクティブ状態にある端末装置はセルの信号品質を直接に測定して測定情報を報告することで、端末装置がまずアクティブ状態に入り、その後、ネットワーク装置が報告された測定結果及び確立されたベアラに応じて端末装置に対して補助ネットワーク装置又は補助サービスセルを構成することを回避し、遅延を効果的に低減させるとともに、シグナリングオーバーヘッドを減少させる。
【００５５】
更に、ネットワーク装置はブロードキャストの形式によって、端末装置の測定対象となるセルグループである測定ニーズ情報を端末装置にブロードキャストして、端末装置による測定情報の報告、及びネットワーク装置による端末装置の構成を実現することで、アイドル状態又は非アクティブ状態にある端末装置がデュアル接続モードに入る際に、従来技術においてネットワーク装置がまず非ＤＣモードに入り、ベアラを確立し、その後、ＲＲＣ接続再構成によってＤＣモードに入ることに比べて、シグナリングオーバーヘッドを効果的に節約する。
【００５６】
更に、ネットワーク装置は競合ベースランダムアクセスプロセスに存在するシグナリングを介して、端末装置による測定情報の報告、及びネットワーク装置による端末装置の構成を実現してもよく、これによりアイドル状態又は非アクティブ状態にある端末装置がデュアル接続モードに入る際に、シグナリングオーバーヘッドを効果的に節約するとともに、ベアラタイプの変更によるデータ損失を回避することができる。
【００５７】
以上のように、本願の実施例では、アイドル状態又は非アクティブ状態のＵＥに対して第１指示情報を構成し、且つＵＥは専用ベアラの確立前に測定情報を報告し、補助ネットワークのＤＣ構成及びＳＮノードの選択に使用し、ＤＣモードに迅速に入る目的を達成し、追加のＲＲＣシグナリングを使用してＳＮノードの追加を行うことを回避し、シグナリングを節約する目的を達成し、且つベアラタイプの変更に関わることがなく、ベアラ変更によるデータ損失等の影響を回避する。
【図面の簡単な説明】
【００５８】
【図１】図１は本発明の実施例による応用シーンの例である。
【図２】図２は本発明の実施例によるＥＮ−ＤＣネットワークアーキテクチャ全体の例である。
【図３】図３は本発明の実施例によるデュアル接続でのＭＮ及びＳＮの模式的なブロック図である。
【図４】図４は本発明の実施例による競合ベースランダムアクセスの模式的なフローチャートである。
【図５】図５は本発明の実施例による測定情報報告の模式的なフローチャートである。
【図６】図６は本発明の実施例による端末装置の構成の模式的なフローチャートである。
【図７】図７は本発明の実施例による端末装置の模式的なブロック図である。
【図８】図８は本発明の実施例によるネットワーク装置の模式的なブロック図である。
【図９】図９は本発明の実施例による通信装置の模式的なブロック図である。
【図１０】図１０は本発明の実施例によるチップの模式的なブロック図である。
【図１１】図１１は本発明の実施例による通信システムの模式的なブロック図である。
【発明を実施するための形態】
【００５９】
図１は本願の実施例によるシステム１００の模式図である。
【００６０】
図１に示すように、端末装置１１０は第１通信システムでの第１ネットワーク装置１３０及び第２通信システムでの第２ネットワーク装置１２０に接続され、例えば、該第１ネットワーク装置１３０はロングタームエボリューション（Ｌｏｎｇ  Ｔｅｒｍ  Ｅｖｏｌｕｔｉｏｎ、ＬＴＥ）でのネットワーク装置であり、該第２ネットワーク装置１２０は新無線（Ｎｅｗ  Ｒａｄｉｏ、ＮＲ）でのネットワーク装置である。
【００６１】
該第１ネットワーク装置１３０及び該第２ネットワーク装置１２０は複数のセルを備えてもよい。
【００６２】
理解されるように、図１は本願の実施例による通信システムの例であるが、本願の実施例は図１の例に限定されない。
【００６３】
一例として、本願の実施例を適用する通信システムは、少なくとも該第１通信システムでの複数のネットワーク装置及び／又は該第２通信システムでの複数のネットワーク装置を備えてもよい。
【００６４】
例えば、図１に示されるシステム１００は第１通信システムでの１つのマスターネットワーク装置及び第２通信システムでの少なくとも１つの補助ネットワーク装置を備えてもよい。少なくとも１つの補助ネットワーク装置は、それぞれ該１つのマスターネットワーク装置に接続されてマルチ接続を構成し、且つそれぞれ端末装置１１０に接続されてサービスを提供する。具体的に、端末装置１１０はマスターネットワーク装置及び補助ネットワーク装置によって同時に接続を確立するようにしてもよい。
【００６５】
選択肢として、端末装置１１０とマスターネットワーク装置が確立する接続をマスター接続とし、端末装置１１０と補助ネットワーク装置が確立する接続を補助接続とする。端末装置１１０の制御シグナリングはマスター接続によって伝送されてもよく、端末装置１１０のデータはマスター接続及び補助接続によって同時に伝送されてもよく、補助接続のみによって伝送されてもよい。
【００６６】
他の例として、本願の実施例における第１通信システムと第２通信システムは異なるが、第１通信システムと該第２通信システムの具体的な種類を特に限定しない。
【００６７】
例えば、該第１通信システム及び該第２通信システムは、例えば、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）等の各種の通信システムであってもよい。
【００６８】
図１に示されるシステム１００では、該第１ネットワーク装置１３０をマスターネットワーク装置とし、該第２ネットワーク装置１２０を補助ネットワーク装置とすることを例示している。
【００６９】
該第１ネットワーク装置１３０はＬＴＥネットワーク装置であり、該第２ネットワーク装置１２０はＮＲネットワーク装置であるようにしてもよい。又は、該第１ネットワーク装置１３０はＮＲネットワーク装置であり、第２ネットワーク装置１２０はＬＴＥネットワーク装置であるようにしてもよい。又は、該第１ネットワーク装置１３０及び該第２ネットワーク装置１２０はともにＮＲネットワーク装置であるようにしてもよい。又は、該第１ネットワーク装置１３０はＧＳＭネットワーク装置、ＣＤＭＡネットワーク装置等であり、該第２ネットワーク装置１２０はＧＳＭネットワーク装置、ＣＤＭＡネットワーク装置等であるようにしてもよい。又は、第１ネットワーク装置１３０はマクロセル（Ｍａｃｒｏｃｅｌｌ）であり、第２ネットワーク装置１２０はマイクロセル（Ｍｉｃｒｏｃｅｌｌ）、ピコセル（Ｐｉｃｏｃｅｌｌ）又はフェムトセル（Ｆｅｍｔｏｃｅｌｌ）等であるようにしてもよい。
【００７０】
選択肢として、該第１ネットワーク装置１３０及び該第２ネットワーク装置１２０は任意のアクセスネットワーク装置であってもよい。
【００７１】
選択肢として、該アクセスネットワーク装置はモバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム又は符号分割多元接続（Ｃｏｄｅ  Ｄｉｖｉｓｉｏｎ  Ｍｕｌｔｉｐｌｅ  Ａｃｃｅｓｓ、ＣＤＭＡ）における基地局（Ｂａｓｅ  Ｔｒａｎｓｃｅｉｖｅｒ  Ｓｔａｔｉｏｎ、ＢＴＳ）であってもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システムにおける基地局（ＮｏｄｅＢ、ＮＢ）であってもよく、更にロングタームエボリューション（Ｌｏｎｇ  Ｔｅｒｍ  Ｅｖｏｌｕｔｉｏｎ、ＬＴＥ）システムにおける発展型基地局（Ｅｖｏｌｕｔｉｏｎａｌ  Ｎｏｄｅ  Ｂ、  ｅＮＢ又はｅＮｏｄｅＢ）であってもよい。
【００７２】
選択肢として、該アクセスネットワーク装置は更に次世代無線アクセスネットワーク（Ｎｅｘｔ  Ｇｅｎｅｒａｔｉｏｎ  Ｒａｄｉｏ  Ａｃｃｅｓｓ  Ｎｅｔｗｏｒｋ、ＮＧ  ＲＡＮ）、又はＮＲシステムにおける基地局（ｇＮＢ）、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）における無線コントローラであってもよい。又は該アクセスネットワーク装置は中継局、アクセスポイント、車載装置、ウェアラブル装置、又は将来の発展型地上波公共移動通信ネットワーク（Ｐｕｂｌｉｃ  Ｌａｎｄ  Ｍｏｂｉｌｅ  Ｎｅｔｗｏｒｋ、ＰＬＭＮ）におけるネットワーク装置等であってもよい。
【００７３】
該第１ネットワーク装置１３０がＬＴＥネットワーク装置であり、該第２ネットワーク装置１２０がＮＲネットワーク装置であることを例として、本願の実施例の技術案は広域のロングタームエボリューション（Ｌｏｎｇ  Ｔｅｒｍ  Ｅｖｏｌｕｔｉｏｎ、ＬＴＥ）カバレッジ及びＮＲのアイランドカバレッジモードに適用できる。選択肢として、ＬＴＥとＮＲとを緊密に相互作用させる（ｔｉｇｈｔ  ｉｎｔｅｒｗｏｒｋｉｎｇ）動作モードである。５Ｇの主要な応用シーンは拡張モバイルブロードバンド（Ｅｎｈａｎｃｅ  Ｍｏｂｉｌｅ  Ｂｒｏａｄｂａｎｄ、ｅＭＢＢ）、超高信頼低遅延通信（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ、ＵＲＬＬＣ）、大規模マシンタイプ通信（ｍａｓｓｉｖｅ  ｍａｃｈｉｎｅ  ｔｙｐｅ  ｏｆ  ｃｏｍｍｕｎｉｃａｔｉｏｎ、ｍＭＴＣ）を含む。ｅＭＢＢはユーザーがマルチメディアコンテンツ、サービス及びデータを取得することを目標とし、そのニーズが急増している。ｅＭＢＢは、例えば、屋内、都市、農村等の異なるシーンにデプロイされる可能性があり、その能力及びニーズの差も比較的大きいため、一律に論じることができず、具体的なデプロイシーンに応じて詳細に分析できる。ＵＲＬＬＣの典型的な応用は産業オートメーション、電力オートメーション、遠隔医療操作（手術）、交通安全保障等を含む。ｍＭＴＣの典型的な特徴は高接続密度、小データ量、遅延に不敏感なサービス、モジュールの低コスト及び長寿命等を含む。
【００７４】
選択肢として、端末装置１１０は任意の端末装置であってもよい。端末装置は無線アクセスネットワーク（Ｒａｄｉｏ  Ａｃｃｅｓｓ  Ｎｅｔｗｏｒｋ、ＲＡＮ）を介して１つ又は複数のコアネットワーク（Ｃｏｒｅ  Ｎｅｔｗｏｒｋ）と通信してもよく、アクセス端末、ユーザー装置（Ｕｓｅｒ  Ｅｑｕｉｐｍｅｎｔ、ＵＥ）、ユーザーユニット、ユーザー局、移動局、移動ステーション、遠隔局、遠隔端末、移動装置、ユーザー端末、端末、無線通信装置、ユーザーエージェント又はユーザーデバイスと呼ばれてもよい。例えば、セルラーホン、コードレス電話、セッションブートプロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティング装置又は無線モデムに接続される他の処理装置、車載装置、ウェアラブル装置及び５Ｇネットワークにおける端末装置等であってもよい。
【００７５】
理解されるように、本明細書では、用語「システム」及び「ネットワーク」は本明細書において常に交換して使用されている。本明細書では、用語「及び／又は」は単に関連対象の関連関係を説明するものであり、３種の関係が存在することを示す。例えば、Ａ及び／又はＢの場合、Ａのみが存在すること、ＡとＢが同時に存在すること、及びＢのみが存在することの３つの状況を示す。また、本明細書では、文字「／」は一般的に前後の関連対象が「又は」の関係を有することを示す。
【００７６】
図２は本発明の実施例によるＥＮ−ＤＣネットワークアーキテクチャ２００の模式的なブロック図である。
【００７７】
図２に示すように、該ネットワークアーキテクチャ２００はＬＴＥ−ＮＲデュアル接続（ＬＴＥ−ＮＲ  Ｄｕａｌ  Ｃｏｎｎｅｃｔｉｖｉｔｙ、ＥＮ−ＤＣ）を例とする。ここで、ＬＴＥはマスターノード（Ｍａｓｔｅｒ  Ｎｏｄｅ、ＭＮ）とし、ＮＲはスレーブノード（Ｓｅｃｏｎｄａｒｙ  Ｎｏｄｅ、ＳＮ）とするが、他の代替実施例では、ＭＮはＭｅＮＢ、ＳＮはＳｅＮＢとも呼ばれる。
【００７８】
本願の実施例では、ＬＴＥアーキテクチャにＮＲネットワークアーキテクチャが追加されて、ネットワークアーキテクチャ２００が形成される。図２に示すように、該ネットワークアーキテクチャ２００はＭＭＥ／Ｓ−ＧＷ  ２１１、ＭＭＥ／Ｓ−ＧＷ  ２１２、ｇＮＢ  ２２１、ｇＮＢ  ２２２、ｅＮＢ  ２３１、及びｅＮＢ  ２３２を含んでもよい。ここで、ＭＭＥ／Ｓ−ＧＷ  ２１１はＳ１−Ｕインタフェースを介してｇＮＢ  ２２１及びｇＮＢ  ２２２に接続され、ＭＭＥ／Ｓ−ＧＷ  ２１１はＳ１インタフェースを介してｅＮＢ  ２３１及びｅＮＢ  ２３２に接続される。ＭＭＥ／Ｓ−ＧＷ  ２１２はＳ１−Ｕインタフェースを介してｇＮＢ  ２２１及びｇＮＢ  ２２２に接続され、ＭＭＥ／Ｓ−ＧＷ  ２１２はＳ１インタフェースを介してｅＮＢ  ２３１及びｅＮＢ  ２３２に接続される。ｇＮＢ  ２２１とｇＮＢ  ２２２はＸ２−Ｕを介して接続される。ｅＮＢ  ２３１とｅＮＢ  ２３２はＸ２を介して接続される。同様に、ｅＮＢ  ２３１とｇＮＢ  ２２１はＸ２を介して接続される。ｇＮＢ  ２２２とｅＮＢ  ２３２はＸ２を介して接続される。換言すれば、ｅＮＢとｅＮＢはＸ２インタフェース方式によって直接に相互接続され、ｅＮＢはＳ１インタフェースを介してＥＰＣに接続される。Ｓ１インタフェースはＭＭＥ／Ｓ−ＧＷとｅＮＢとの間の多対多接続をサポートし、即ち１つのｅＮＢは複数のＭＭＥ／Ｓ−ＧＷと接続できるとともに、複数のｅＮＢは同一のＭＭＥ／Ｓ−ＧＷに同時に接続できる。同様に、ｇＮＢとｇＮＢはＸ２−Ｕインタフェース方式によって直接に相互接続され、ｇＮＢはＳ１−Ｕインタフェースを介してＥＰＣに接続される。Ｓ１−ＵインタフェースはＭＭＥ／Ｓ−ＧＷとｇＮＢとの間の多対多接続をサポートし、即ち、１つのｇＮＢは複数のＭＭＥ／Ｓ−ＧＷと接続できるとともに、複数のｇＮＢは同一のＭＭＥ／Ｓ−ＧＷに同時に接続できる。
【００７９】
図２に示すように、本願の実施例では、ＭＭＥ／Ｓ−ＧＷ  ２１１及びＭＭＥ／Ｓ−ＧＷ  ２１２はＬＴＥネットワークの発展型パケットコア（Ｅｖｏｌｖｅｄ  Ｐａｃｋｅｔ  Ｃｏｒｅ、ＥＰＣ）に属し、ｇＮＢ  ２２１、ｇＮＢ  ２２２、ｅＮＢ  ２３１及びｅＮＢ  ２３２は発展型汎用地上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ）を構成する。しかし、本願の実施例はこれに限定されず、例えば、該ＭＭＥ／Ｓ−ＧＷ  ２１１及びＭＭＥ／Ｓ−ＧＷ  ２１２はアクセスネットワーク装置と通信する任意のコアネットワーク装置により代替されてもよい。
【００８０】
選択肢として、コアネットワーク装置は５Ｇコアネットワーク装置であってもよく、例えば、アクセス及びモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）が挙げられ、また、例えば、セッション管理機能（Ｓｅｓｓｉｏｎ  Ｍａｎａｇｅｍｅｎｔ  Ｆｕｎｃｔｉｏｎ、ＳＭＦ）が挙げられる。選択肢として、コアネットワーク装置はＬＴＥネットワークの発展型パケットコア（Ｅｖｏｌｖｅｄ  Ｐａｃｋｅｔ  Ｃｏｒｅ、ＥＰＣ）装置であってもよく、例えば、セッション管理機能＋コアネットワークのデータゲートウェイ（Ｓｅｓｓｉｏｎ  Ｍａｎａｇｅｍｅｎｔ  Ｆｕｎｃｔｉｏｎ＋Ｃｏｒｅ  Ｐａｃｋｅｔ  Ｇａｔｅｗａｙ、ＳＭＦ＋ＰＧＷ−Ｃ）装置が挙げられる。
【００８１】
理解されるように、ＳＭＦ＋ＰＧＷ−ＣはＳＭＦ及びＰＧＷ−Ｃにより実現できる機能を同時に実現できる。
【００８２】
選択肢として、本願の実施例では、ＡＭＦはＳＭＦと情報交換を行ってもよく、例えば、ＳＭＦはＡＭＦからいくつかの無線アクセスネットワーク側の情報を取得する。
【００８３】
なお、図２に示されるネットワークアーキテクチャ２００は単にデュアル接続ネットワークアーキテクチャの例示的な説明であり、本発明の実施例はこれに限定されない。例えば、他の代替実施例では、該ネットワークアーキテクチャ２００を簡単に変形してもよく、例えば、一例として、該ｇＮＢ  ２２１及び／又はｇＮＢ  ２２２はＥＰＣ（即ち、ＭＭＥ／Ｓ−ＧＷ  ２１１及びＭＭＥ／Ｓ−ＧＷ  ２１２）に直接に接続されなくてもよい。更に理解されるように、図２に示されるＥＮ−ＤＣは単にデュアル接続ネットワークアーキテクチャの例であり、本発明の実施例におけるＤＣモードはＥＮ−ＤＣ、ＮＥ−ＤＣ、５ＧＣ−ＥＮ−ＤＣ、及びＮＲ  ＤＣを含むが、これらに限定されない。ＥＮ−ＤＣでは、ＬＴＥノードはＭＮノードとし、ＮＲノードはＳＮノードとし、ＥＰＣコアネットワークに接続される。ＮＥ−ＤＣでは、ＮＲはＭＮノードとし、ｅＬＴＥはＳＮノードとし、５ＧＣコアネットワークに接続される。５ＧＣ−ＥＮ−ＤＣでは、ｅＬＴＥはＭＮノードとし、ＮＲはＳＮノードとし、５ＧＣコアネットワークに接続される。ＮＲ  ＤＣでは、ＮＲはＭＮノードとし、ＮＲはＳＮノードとし、５ＧＣコアネットワークに接続される。
【００８４】
デュアル接続ネットワークアーキテクチャでは、データプレーン無線ベアラはＭＮ又はＳＮにより個別にサービスされてもよく、ＭＮ及びＳＮにより同時にサービスされてもよい。ＭＮのみによりサービスされる場合、ＭＣＧベアラ（ｂｅａｒｅｒ）と呼ばれ、即ち、ＭＮにより制御されるサービスセルグループである。ＳＮのみによりサービスされる場合、ＳＣＧベアラと呼ばれ、即ち、ＳＮにより制御されるサービスセルグループである。ＭＮ及びＳＮにより同時にサービスされる場合、スプリットベアラ（ｓｐｌｉｔ  ｂｅａｒｅｒ）と呼ばれ、分割ベアラとも呼ばれる。具体的に、ＭＣＧ  ｓｐｌｉｔ  ｂｅａｒｅｒ及びＳＣＧ  ｓｐｌｉｔ  ｂｅａｒｅｒに分けられてもよい。ＭＣＧ  ｓｐｌｉｔ  ｂｅａｒｅｒとＳＣＧ  ｓｐｌｉｔ  ｂｅａｒｅｒの相違点は主にパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層の機能及びＰＤＣＰ層の鍵が異なることである。本願の実施例では、ＭＣＧ  ｓｐｌｉｔ  ｂｅａｒｅｒとＳＣＧ  ｓｐｌｉｔ  ｂｅａｒｅｒとの間の変更を最小化し、標準化難易度を低減させ、実現及びテストの作業を低減させ、市販製品の特性の細分化を最小化するために、選択肢として、ｂｅａｒｅｒ調和（ｈａｒｍｏｎｉｚａｔｉｏｎ）の概念を提案し、即ち、図３に示すように、ＭＣＧ  ｓｐｌｉｔ  ｂｅａｒｅｒとＳＣＧ  ｓｐｌｉｔ  ｂｅａｒｅｒは１つのベアラタイプとして統一され、即ちＳｐｌｉｔ  ｂｅａｒｅｒであり、すなわち、このｓｐｌｉｔの形式はＵＥにとって透明である。
【００８５】
実際の応用では、図３に示すように、ＭＮ及び／又はＳＮによりサービスされるＭＣＧベアラ（ｂｅａｒｅｒ）、ＳＣＧベアラ及びスプリットベアラ（ｓｐｌｉｔ  ｂｅａｒｅｒ）は対応する発展型ユニバーサル地上波無線アクセス（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ、Ｅ−ＵＴＲＡ）無線リンク制御（Ｒａｄｉｏ  Ｌｉｎｋ  Ｃｏｎｔｒｏｌ、ＲＬＣ）又は新無線（Ｎｅｗ  Ｒａｄｉｏ、  ＮＲ）ＲＬＣ層によって、対応するＥ−ＵＴＲＡ又はＮＲの媒体アクセス制御（Ｍｅｄｉａ  Ａｃｃｅｓｓ  Ｃｏｎｔｒｏｌ、ＭＡＣ）層に到達する。
【００８６】
一実施例では、ＭＮ及びＳＮにはいずれもＳ１−Ｕ接続が存在し、データストリームはコアネットワークで分割された後、ＭＮ及びＳＮを介して個別に伝送され、ＳＮは負荷分担の作用を果たし、このようなアーキテクチャは１ａ方式と呼ばれ、この方式は基地局間のバックホールに対して特殊な要件がなく、レイヤ２プロトコル層に対して特殊な構成を行う必要もなく、基地局間に負荷分担機能がなく、そのピークレートは完全にＭＮ及びＳＮ自体の無線能力に決められ、切り替え中、コアネットワークが関与する必要があり、データが中断する恐れがある問題を抱えている。
【００８７】
他の実施例では、ＭＮとコアネットワークとの間のみにＳ１−Ｕ接続が存在し、すべてのダウンリンクデータストリームが先ずＭＮに伝送され、更にＭＮを介して所定のアルゴリズム及び比率に応じて分割された後、データの一部がＸ２インタフェースによってＳＮに送信され、最終的にはＭＮ及びＳＮにおいてＵＥにデータを同時に送信し、このアーキテクチャは３ｃ方式と呼ばれる。この方式では、ユーザーは２つのシステムからダウンリンクデータを取得し、負荷分担及びリソースマッチ機能の実現が簡単になるとともに、ユーザーレートの向上に有利である。また、切り替え過程のコアネットワークへの影響が小さく、且つ複数の無線リンクがあるため、切り替え遅延が低い。その欠点について、基地局間のバックホール要件が高く、レイヤ２プロトコルの複雑性要件が高く、且つ基地局間のバックホールはトラフィック制御等の機能を実現する必要がある。また、スプリットベアラ方式はダウンリンク方向のみに適用される。アップリンク方向において、データストリームは分割せず、ＭＮ又はＳＮを経由して伝送できる。
【００８８】
図３に示される各サブ層は、プロトコルデータユニットの異なるデータに応じて、データを受信側の指定層に送信することができる。各サブ層に入った未処理のデータはサービスデータユニット（ｓｅｒｖｉｃｅ  ｄａｔａ  ｕｎｉｔ、ＳＤＵ）と呼ばれ、サブ層により処理されて形成された特定のフォーマットのデータはプロトコルデータユニット（Ｐｒｏｔｏｃｏｌ  Ｄａｔａ  Ｕｎｉｔ、ＰＤＵ）と呼ばれる。ＳＤＵは上位層プロトコルから下位層プロトコルに伝送される情報ユニットである。ＳＤＵの元のデータはプロトコルの上位層のＰＤＵである。すなわち、該層で形成されたＰＤＵは次の層のＳＤＵである。
【００８９】
例えば、各端末装置の各ロジックチャネルは１つのＲＬＣエンティティ（ＲＬＣ  ｅｎｔｉｔｙ）を有し、ＲＬＣエンティティがＰＤＣＰ層から受信したデータ、又はＰＤＣＰ層に送信したデータはＲＬＣ  ＳＤＵ（又はＰＤＣＰ  ＰＤＵ）と呼ばれてもよい。ＲＬＣエンティティがＭＡＣ層から受信したデータ、又はＭＡＣ層に送信したデータはＲＬＣ  ＰＤＵ（又はＭＡＣ  ＳＤＵ）と呼ばれてもよい。
【００９０】
理解されるように、本願の実施例では、ＲＬＣ層はＰＤＣＰ層とＭＡＣ層との間に位置し、ＲＬＣ層はサービスアクセスポイント（Ｓｅｒｖｉｃｅ  Ａｃｃｅｓｓ  Ｐｏｉｎｔ、ＳＡＰ）を介してＰＤＣＰ層と通信し、ロジックチャネルを介してＭＡＣ層と通信するようにしてもよいが、本願の実施例はこれに限定されない。
【００９１】
図４は本願の実施例による測定情報の報告方法３００の模式的なフローチャートを示し、該方法３００は端末装置により実行されてもよい。図４に示される端末装置は図１に示される端末装置であってもよく、該端末装置はアイドル状態又は非アクティブ状態にある端末装置であってもよく、図４に示されるネットワーク装置は図１に示されるアクセスネットワーク装置であってもよい。該方法３００は以下のステップの一部又は全部を含む。
【００９２】
Ｓ３１０、該端末装置は少なくとも１つのセルの信号品質を測定する。
Ｓ３２０、該端末装置は上記少なくとも１つのセルにおける各セルの信号品質に応じて測定情報を報告する。
【００９３】
本願の実施例では、アイドル状態又は非アクティブ状態にある端末装置はセルの信号品質を直接に測定して測定情報を報告することで、端末装置がまずアクティブ状態に入り、その後、ネットワーク装置が報告された測定結果及び確立されたベアラに応じて端末装置に対して補助ネットワーク装置又は補助サービスセルを構成することを回避し、遅延を効果的に低減させるとともに、シグナリングオーバーヘッドを減少させる。
【００９４】
本願の実施例に係る端末装置はアイドル状態（ＲＲＣ＿ＩＤＬＥ）又は非アクティブ状態（ＲＲＣ＿ＩＮＡＣＴＩＶＥ）にある端末装置であってもよい。
【００９５】
理解し易さの点から、以下、アイドル状態、非アクティブ状態及びアクティブ状態（ＲＲＣ＿ＡＣＴＩＶＥ）にある端末装置を簡単に説明する。
【００９６】
ＲＲＣ＿ＩＮＡＣＴＩＶＥ状態はＲＲＣ＿ＩＤＬＥ及びＲＲＣ＿ＡＣＴＩＶＥ状態と異なる。
【００９７】
ＲＲＣ＿ＩＤＬＥ状態について、端末装置とネットワーク装置との間にＲＲＣ接続がなく、ネットワーク装置が端末装置のＡＳコンテキストを記憶しない。該端末装置をページングする必要がある場合、コアネットワークがページングを確立し、コアネットワークがページング領域を構成する。そのモビリティは端末装置に基づくセル選択又はセル再選択である。
【００９８】
ＲＲＣ＿ＣＯＮＮＥＣＴＥＤ状態について、端末装置とネットワーク装置との間にＲＲＣ接続が存在し、ネットワーク装置及び端末装置が該端末装置のＡＳコンテキストを記憶している。ネットワーク装置により取得される端末装置の位置は具体的なセルレベルである。そのモビリティはネットワーク装置により制御されるモビリティである。
【００９９】
ＲＲＣ＿ＩＮＡＣＴＩＶＥ状態について、コアネットワーク（ＣＮ）とネットワーク装置との間に接続が存在し、端末装置のＡＳコンテキストがあるネットワーク装置に記憶され、無線アクセスネットワーク（Ｒａｄｉｏ  Ａｃｃｅｓｓ  Ｎｅｔｗｏｒｋ、ＲＡＮ）がページングをトリガーし、ＲＡＮがＲＡＮのページング領域を管理し、すなわち、ネットワーク装置により取得される端末装置の位置はＲＡＮのページング領域レベルである。そのモビリティは端末装置に基づくセル選択又はセル再選択である。換言すれば、ＲＲＣ＿ＩＮＡＣＴＩＶＥ状態にある端末装置とネットワーク装置との接続は遮断状態にあり、且つ該ネットワーク装置は該端末装置のコンテキスト情報を保留し、該コンテキスト情報は該端末装置と該ネットワーク装置との間の接続を迅速に確立することに用いられる。
【０１００】
選択肢として、該端末装置はネットワーク装置からブロードキャストされた第１指示情報を受信し、該端末装置は該第１指示情報に応じて上記少なくとも１つのセルを決定し、該第１指示情報は、上記少なくとも１つのセルが属する少なくとも１つのセルグループの識別子、上記少なくとも１つのセルの識別子、測定周波数及びサブキャリア間隔のうちの少なくとも１つを含む。
【０１０１】
例えば、該第１指示情報が上記少なくとも１つのセルの属する少なくとも１つのセルグループの識別子を含むことを例として、端末装置はネットワーク装置からブロードキャストされた第１指示情報を受信し、該第１指示情報に応じて測定情報を取得し、最終的に該測定情報をネットワーク装置に報告する。更に、該第１指示情報は上記少なくとも１つのセルグループにおける各セルグループのｉｄを指示してもよい。
【０１０２】
選択肢として、該端末装置はデュアル接続（Ｄｕａｌ  Ｃｏｎｎｅｃｔｉｏｎ、ＤＣ）モードをサポートする場合、該第１指示情報を受信する。
【０１０３】
理解されるように、デュアル接続（Ｄｕａｌ  Ｃｏｎｎｅｃｔｉｏｎ、ＤＣ）シーンでは、複数のネットワークノード（セルグループ（Ｃｅｌｌ  Ｇｒｏｕｐ、ＣＧ））は端末装置にサービスでき、各セルグループは該端末装置のデュアル接続アーキテクチャを構成する可能性がある。
【０１０４】
理解されるように、本願の実施例では、ＣＧはネットワークノード又はネットワーク装置等に相当してもよい。
【０１０５】
更に理解されるように、上記端末装置がネットワーク装置からブロードキャストされた第１指示情報を受信することに基づいて上記少なくとも１つのセルを決定することは単に例であり、他の代替実施例では、該端末装置は更に他の方式、例えば、事前構成情報に基づいて上記少なくとも１つのセルを決定してもよい。
【０１０６】
本願の実施例では、ネットワーク装置はブロードキャストの形式によって、測定のニーズ情報を端末装置にブロードキャストし、それにより端末装置は測定対象となるセルグループ又はセルを決定して、端末装置による測定情報の報告、及びネットワーク装置による端末装置の構成を実現する。それにより、アイドル状態又は非アクティブ状態にある端末装置がデュアル接続モードに入る際に、従来技術においてネットワーク装置がまず非ＤＣモードに入り、ベアラを確立し、その後、ＲＲＣ接続再構成によってＤＣモードに入ることに比べて、シグナリングオーバーヘッドを効果的に節約する。
【０１０７】
選択肢として、該端末装置は閾値を決定し、該端末装置は上記各セルの信号品質が該閾値を満たすか否かに応じて、該測定情報を生成して報告する。
【０１０８】
選択肢として、該測定情報はターゲットセルグループの識別子及び／又はターゲットセルの識別子を含み、該ターゲットセルグループにおける各セルグループは該閾値を満たす少なくとも１つのセルを含み、該ターゲットセルは上記少なくとも１つのセルのうち該閾値を満たすセルである。
【０１０９】
選択肢として、該測定情報は上記各セルの信号品質が閾値を満たすか否かを指示するための第２指示情報を含む。
【０１１０】
以下、端末装置が閾値に基づいて該第２指示情報の具体的な形式を例示的に説明する。
【０１１１】
選択肢として、該第２指示情報は少なくとも１つのビットシーケンスを含み、上記少なくとも１つのビットシーケンスにおける第１ビットシーケンスは上記少なくとも１つのセルグループにおける第１セルグループ中の各セルの信号品質が該閾値を満たすか否かを示すためのものである。
【０１１２】
選択肢として、上記少なくとも１つのビットシーケンスにおける各ビットシーケンスはセルの信号品質が該閾値を満たすことを示すビットを少なくとも１つ有する。
【０１１３】
選択肢として、該第２指示情報は該第１ビットシーケンスと該第１セルグループの識別子との対応関係を更に含む。
【０１１４】
選択肢として、該第２指示情報は上記少なくとも１つのビットシーケンスにおける各ビットシーケンスと少なくとも１つのセルグループ識別子との対応関係を更に含む。
【０１１５】
選択肢として、該第１ビットシーケンスは、セルの信号品質が該閾値を満たさないことを示すための第１数値、及び／又は、セルの信号品質が該閾値を満たすことを示すための第２数値を含む。
【０１１６】
選択肢として、該第１数値は０であり、該第２数値は１である。
【０１１７】
選択肢として、該端末装置が上記少なくとも１つのセルにおける各セルの信号品質に応じて測定情報を報告する前に、該方法は更に、該端末装置が該ネットワーク装置からブロードキャストされた該閾値を受信することを含む。
【０１１８】
選択肢として、該閾値は事前設定された閾値である。
【０１１９】
選択肢として、該閾値はリファレンス信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）閾値及び／又はリファレンス信号受信品質（Ｒｅｆｅｒｅｎｃｅ  Ｓｉｇｎａｌ  Ｒｅｃｅｉｖｉｎｇ  Ｑｕａｌｉｔｙ、ＲＳＲＱ）閾値を含む。
【０１２０】
理解されるように、本願の実施例では、端末装置が閾値に基づいて第２指示情報を含む測定情報を生成して報告することは単に例示的な説明であり、本願の実施例はこれに限定されない。
【０１２１】
例えば、該端末装置は信号品質の降順で上記各セルの信号品質を該ネットワーク装置に報告してもよい。
【０１２２】
また例えば、該端末装置は信号品質の昇順で、上記各セルの信号品質を該ネットワーク装置に報告してもよい。
【０１２３】
本願の実施例では、ネットワーク装置は更に競合ベースランダムアクセスプロセスに存在するシグナリングを介して、端末装置による測定情報の報告、及びネットワーク装置による端末装置の構成を実現してもよい。これにより、アイドル状態又は非アクティブ状態にある端末装置がデュアル接続モードに入る際に、シグナリングオーバーヘッドを効果的に節約するとともに、ベアラタイプの変更によるデータ損失を回避することができる。
【０１２４】
選択肢として、該端末装置は該測定情報をメッセージ５（ＭＳＧ５）、セキュリティモードコマンド（Ｓｅｃｕｒｉｔｙｍｏｄｅｃｏｍｐｌｅｔｅ）又は測定レポート（ｍｅａｓｕｒｅｍｅｎｔ  ｒｅｐｏｒｔ）に含ませて該ネットワーク装置に報告してもよい。
【０１２５】
選択肢として、該端末装置が上記少なくとも１つのセルにおける各セルの信号品質に応じて測定情報を報告する前に、該端末装置は、該測定情報をメッセージ５（ＭＳＧ５）又はセキュリティモードコマンド（Ｓｅｃｕｒｉｔｙｍｏｄｅｃｏｍｐｌｅｔｅ）又は測定レポート（ｍｅａｓｕｒｅｍｅｎｔ  ｒｅｐｏｒｔ）に含ませて該ネットワーク装置に報告することを該端末装置に指示するための第３指示情報を、該ネットワーク装置に送信する。
【０１２６】
選択肢として、該端末装置は該第３指示情報を含むメッセージ３（ＭＳＧ３）を該ネットワーク装置に送信する。
【０１２７】
上記測定情報及び第３指示情報を含むメッセージを容易に理解するために、以下、図５を参照しながら本発明の実施例による競合ベースランダムアクセスを説明する。
【０１２８】
図５は本発明の実施例による競合ベースランダムアクセスの模式的なフローチャートである。
【０１２９】
理解されるように、セルサーチの後、端末装置はセルとダウンリンク同期を実現しているため、端末装置はダウンリンクデータを受信できる。しかし、端末装置はセルとアップリンク同期を実現しなければ、アップリンク伝送が不可能である。端末装置はランダムアクセスプロセス（Ｒａｎｄｏｍ  Ａｃｃｅｓｓ  Ｐｒｏｃｅｄｕｒｅ）によってセルと接続を確立してアップリンク同期を実現する。
【０１３０】
ランダムアクセスの主要な目的は、アップリンク同期を取得し、端末装置に唯一の識別子であるセル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ、Ｃ−ＲＮＴＩ）を割り当てることである。
【０１３１】
図５に示すように、本発明の実施例では、該競合ベースランダムアクセスプロセスは以下を含む。
【０１３２】
端末装置はランダムアクセスプリアンブル（Ｐｒｅａｍｂｌｅ）を含み得るメッセージ１（ＭＳＧ１）をネットワーク装置に送信する。ネットワーク装置は端末装置から送信されたＭＳＧ１を受信した後、該ＭＳＧ１に応答する応答メッセージであるメッセージ２（ＭＳＧ２）を送信してもよい。ネットワーク装置は該ＭＳＧ１のリソース位置に応じて、ランダムアクセス無線ネットワーク一時識別子（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ、ＲＡ−ＲＮＴＩ）を計算し、該ＲＡ−ＲＮＴＩを利用して該ＭＳＧ２をスクランブルするようにしてもよい。端末装置は該ＭＳＧ２を受信した後、該ＭＳＧ２に応じてメッセージ３（ＭＳＧ３）をネットワーク装置に送信するようにしてもよい。選択肢として、該ＭＳＧ３には端末装置の識別子情報等が含まれてもよい。ネットワーク装置は端末から送信されたＭＳＧ３を受信した後、該ＭＳＧ３に応じて、メッセージ４（ＭＳＧ４）を端末に送信するようにしてもよい。端末は該ＭＳＧ４を受信した後、該ＭＳＧ４がその自体に対するものであることを決定すると、該ＭＳＧ４に応じて、メッセージ５（ＭＳＧ５）をネットワーク装置に送信して、後続のデータ伝送を行うようにしてもよい。その後、端末装置はネットワーク装置から送信されたセキュリティモードコマンドを受信した後、セキュリティモードに入り、セキュリティモード完了通知をネットワーク装置に送信し、更に測定レポートをネットワーク装置に送信する。
【０１３３】
端末装置はプリアンブル（ｐｒｅａｍｂｌｅ）をネットワーク装置に送信して、１つのランダムアクセス要求があることをネットワーク装置に通知し、それによりネットワーク装置は端末装置との間の伝送遅延を推定してアップリンクタイミング（ｔｉｍｉｎｇ）を校正することができる。選択肢として、端末装置はプリアンブルインデックス（ｐｒｅａｍｂｌｅ  ｉｎｄｅｘ）、及びｐｒｅａｍｂｌｅを送信するための物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）リソースを選択し、更に、ＰｒｅａｍｂｌｅをＰＲＡＣＨにおいて伝送する。選択肢として、ネットワーク装置はシステム情報ブロック（Ｓｙｓｔｅｍ  Ｉｎｆｏｒｍａｔｉｏｎ  Ｂｌｏｃｋ、ＳＩＢ）をブロードキャストすることによって、ｐｒｅａｍｂｌｅを伝送できるリソース、例えばＳＩＢ２をすべての端末装置に通知する。
【０１３４】
ネットワーク装置はランダムアクセス応答（Ｒａｎｄｏｍ  Ａｃｃｅｓｓ  Ｒｅｓｐｏｎｓｅ、ＲＡＲ）を端末装置に送信する。具体的に、端末装置はｐｒｅａｍｂｌｅを送信した後、ＲＡＲタイムウィンドウ内でランダムアクセス無線ネットワーク一時識別子（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ、ＲＡ−ＲＮＴＩ）値に応じて、対応する物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を監視して、対応するＲＡ−ＲＮＴＩのＲＡＲを受信するようにしてもよい。このＲＡＲタイムウィンドウ内にネットワーク装置がフィードバックしたＲＡＲを受信していない場合、今回のランダムアクセスプロセスが失敗すると判断する。
【０１３５】
端末装置はメッセージ３（Ｍｓｇ３）をネットワーク装置に送信し、端末装置は自体の唯一の識別子、例えば、セル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ、Ｃ−ＲＮＴＩ）、また例えば、コアネットワークからの端末装置識別子（Ｓ−ＴＭＳＩ又は１つの乱数）をＭｓｇ３に含ませてもよい。
【０１３６】
本願の実施例では、端末装置は該Ｍｓｇ３に上記第３指示情報を含ませてもよい。
【０１３７】
ネットワーク装置は競合解決メッセージ（ｃｏｎｔｅｎｔｉｏｎ  ｒｅｓｏｌｕｔｉｏｎ）を端末装置に送信する。具体的に、ネットワーク装置は競合解決メカニズムで、勝った端末装置の唯一の識別子をｃｏｎｔｅｎｔｉｏｎ  ｒｅｓｏｌｕｔｉｏｎ（Ｍｓｇ４）に含ませる。競合解決で勝っていない他の端末装置はランダムアクセスを再開する。
【０１３８】
端末装置はネットワーク装置から送信されたＭｓｇ４を受信した後、Ｍｓｇ５をネットワーク装置に送信し、更にネットワーク装置から送信されたセキュリティモードコマンドを受信した後、セキュリティモードに入って、セキュリティモード完了通知をネットワーク装置に送信し、更に測定レポートをネットワーク装置に送信する。
【０１３９】
本願の実施例では、端末装置はＭｓｇ５又はセキュリティモードコマンド又は測定レポートに上記測定情報を含ませてもよい。例えば、Ｍｓｇ５又はセキュリティモードコマンド又は測定レポートに上記第２指示情報を含ませる。また例えば、端末装置により測定された各セルのリファレンス信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）値及び／又はリファレンス信号受信品質（Ｒｅｆｅｒｅｎｃｅ  Ｓｉｇｎａｌ  Ｒｅｃｅｉｖｉｎｇ  Ｑｕａｌｉｔｙ、ＲＳＲＱ）値をセキュリティモードコマンド又は測定レポートに含ませる。
【０１４０】
以上、図面を参照しながら本願の好適実施形態を詳細に説明したが、本願は上記実施形態の詳細に限定されるものではなく、本願の技術的発想の範囲を逸脱せずに、本願の技術案に対して種々の簡単な変形を行うことができ、これらの簡単な変形はすべて本願の保護範囲に属する。
【０１４１】
例えば、上記発明を実施するための形態で説明される各具体的な技術的特徴は、矛盾しない限り、適切に組み合わせることができる。不必要な重複を回避するために、本願では各種の可能な組み合わせ方式を別途に説明しない。
【０１４２】
また例えば、本願の各種の異なる実施形態を任意に組み合わせるようにしてもよく、本願の趣旨を逸脱しない限り、同様に本願に開示されている内容とみなすべきである。
【０１４３】
理解されるように、本願の各種の方法の実施例では、上記各プロセスの番号は実行順序を示すものではない。各プロセスの実行順序はその機能及び内部ロジックに応じて決定され、本願の実施例の実施プロセスを限定するものではない。
【０１４４】
以上、図２〜図５を参照しながら、端末装置が測定情報を報告するという視点から本願の実施例による測定情報の報告方法を詳細に説明したが、以下、図６を参照しながら、ネットワーク装置の視点から本願の実施例によるネットワーク装置が端末装置から報告された測定情報を受信して端末装置を構成する方法を説明する。
【０１４５】
図６は本願の実施例による端末装置の構成方法４００の模式的なフローチャートを示す。該方法４００は図１に示されるネットワーク装置により実行されてもよい。図６に示すように、該方法４００はＳ４１０〜Ｓ４２０を含む。
【０１４６】
Ｓ４１０では、ネットワーク装置は端末装置から送信された、アイドル状態又は非接続状態にある該端末装置が少なくとも１つのセルにおける各セルの信号品質に応じて生成した情報である測定情報を受信する。
【０１４７】
Ｓ４２０では、該ネットワーク装置は該測定情報に応じて、該端末装置に対して補助ネットワーク装置及び／又は補助サービスセルを構成する。
【０１４８】
具体的に、ネットワーク装置は該端末装置から報告された測定情報に基づいて、適切な補助ネットワーク装置及び／又は補助セルを選択して追加する。
【０１４９】
選択肢として、該ネットワーク装置は端末装置から送信された測定情報を受信する前に、該ネットワーク装置は該端末装置が上記少なくとも１つのセルを決定するための第１指示情報を、アイドル状態又は非アクティブ状態にある該端末装置にブロードキャストし、
該第１指示情報は、上記少なくとも１つのセルが属する少なくとも１つのセルグループの識別子、上記少なくとも１つのセルの識別子、測定周波数及びサブキャリア間隔のうちの少なくとも１つを含む。
【０１５０】
選択肢として、該ネットワーク装置は端末装置から送信された測定情報を受信する前に、該ネットワーク装置は該端末装置が上記各セルの信号品質が閾値を満たすか否かに応じて該測定情報を生成するための該閾値を該端末装置にブロードキャストする。
【０１５１】
選択肢として、該測定情報はターゲットセルグループの識別子及び／又はターゲットセルの識別子を含み、該ターゲットセルグループにおける各セルグループは閾値を満たす少なくとも１つのセルを含み、該ターゲットセルは上記少なくとも１つのセルのうち閾値を満たすセルである。
【０１５２】
選択肢として、該測定情報は上記各セルの信号品質が閾値を満たすか否かを指示するための第２指示情報を含む。
【０１５３】
選択肢として、該第２指示情報は少なくとも１つのビットシーケンスを含み、上記少なくとも１つのビットシーケンスにおける第１ビットシーケンスは上記少なくとも１つのセルグループにおける第１セルグループ中の各セルの信号品質が該閾値を満たすか否かを示すためのものである。
【０１５４】
選択肢として、上記少なくとも１つのビットシーケンスにおける各ビットシーケンスはセルの信号品質が該閾値を満たすことを示すビットを少なくとも１つ有する。
【０１５５】
選択肢として、該第２指示情報は該第１ビットシーケンスと該第１セルグループの識別子との対応関係を更に含む。
【０１５６】
選択肢として、該第１ビットシーケンスは、セルの信号品質が該閾値を満たさないことを示すための第１数値、及び／又は、セルの信号品質が該閾値を満たすことを示すための第２数値を含む。
【０１５７】
選択肢として、該第１数値は０であり、該第２数値は１である。
【０１５８】
選択肢として、該閾値はＲＳＲＰ閾値及び／又はＲＳＲＱ閾値を含む。
【０１５９】
選択肢として、該ネットワーク装置は信号品質の降順で、該端末装置から報告された上記各セルの信号品質を受信する。
【０１６０】
選択肢として、該ネットワーク装置は該端末装置から送信されたメッセージ５（ＭＳＧ５）又はセキュリティモードコマンド又は測定レポートに含まれる該測定情報を受信する。
【０１６１】
選択肢として、該ネットワーク装置は端末装置から送信された測定情報を受信する前に、該ネットワーク装置は端末装置から送信された、該測定情報をメッセージ５（ＭＳＧ５）又はセキュリティモードコマンド又は測定レポートに含ませて該ネットワーク装置に報告することを該端末装置に指示するための第３指示情報を受信する。
【０１６２】
選択肢として、該ネットワーク装置は端末装置から送信された、該第３指示情報を含むメッセージ３（ＭＳＧ３）を受信する。
【０１６３】
図７は本願の実施例における端末装置５００の模式的なブロック図である。
【０１６４】
具体的には、図７に示すように、該端末装置５００はアイドル状態又は非アクティブ状態にあり、選択肢として、該端末装置５００は、
少なくとも１つのセルの信号品質を測定することに用いられる測定ユニット５２０と、
上記少なくとも１つのセルにおける各セルの信号品質に応じて測定情報を報告することに用いられる通信ユニット５１０と、を備える。
【０１６５】
選択肢として、該測定ユニット５２０が少なくとも１つのセルの信号品質を測定する前に、該通信ユニット５１０は更に、ネットワーク装置からブロードキャストされた第１指示情報を受信し、該第１指示情報に応じて上記少なくとも１つのセルを決定することに用いられ、
該第１指示情報は、上記少なくとも１つのセルが属する少なくとも１つのセルグループの識別子、上記少なくとも１つのセルの識別子、測定周波数及びサブキャリア間隔のうちの少なくとも１つを含む。
【０１６６】
選択肢として、該通信ユニット５１０は具体的に、閾値を決定し、上記各セルの信号品質が該閾値を満たすか否かに応じて、該測定情報を生成して報告することに用いられる。
【０１６７】
選択肢として、該測定情報はターゲットセルグループの識別子及び／又はターゲットセルの識別子を含み、該ターゲットセルグループにおける各セルグループは該閾値を満たす少なくとも１つのセルを含み、該ターゲットセルは上記少なくとも１つのセルのうち該閾値を満たすセルである。
【０１６８】
選択肢として、該測定情報は上記各セルの信号品質が閾値を満たすか否かを指示するための第２指示情報を含む。
【０１６９】
選択肢として、該第２指示情報は少なくとも１つのビットシーケンスを含み、上記少なくとも１つのビットシーケンスにおける第１ビットシーケンスは上記少なくとも１つのセルグループにおける第１セルグループ中の各セルの信号品質が該閾値を満たすか否かを示すためのものである。
【０１７０】
選択肢として、上記少なくとも１つのビットシーケンスにおける各ビットシーケンスはセルの信号品質が該閾値を満たすことを示すビットを少なくとも１つ有する。
【０１７１】
選択肢として、該第２指示情報は該第１ビットシーケンスと該第１セルグループの識別子との対応関係を更に含む。
【０１７２】
選択肢として、該第１ビットシーケンスは、セルの信号品質が該閾値を満たさないことを示すための第１数値、及び／又は、セルの信号品質が該閾値を満たすことを示すための第２数値を含む。
【０１７３】
選択肢として、該第１数値は０であり、該第２数値は１である。
【０１７４】
選択肢として、該通信ユニット５１０は上記各セルの信号品質に応じて測定情報を報告する前に、
該ネットワーク装置からブロードキャストされた該閾値を受信することに更に用いられる。
【０１７５】
選択肢として、該閾値は事前設定された閾値である。
【０１７６】
選択肢として、該閾値はＲＳＲＰ閾値及び／又はＲＳＲＱ閾値を含む。
【０１７７】
選択肢として、該通信ユニット５１０は具体的に、信号品質の降順で上記各セルの信号品質を該ネットワーク装置に報告することに用いられる。
【０１７８】
選択肢として、該通信ユニット５１０は具体的に、該測定情報をメッセージ５（ＭＳＧ５）又はセキュリティモードコマンド又は測定レポートに含ませて該ネットワーク装置に報告することに用いられる。
【０１７９】
選択肢として、該通信ユニット５１０は上記各セルの信号品質に応じて測定情報を報告する前に、
該測定情報をメッセージ５（ＭＳＧ５）又はセキュリティモードコマンド又は測定レポートに含ませて該ネットワーク装置に報告することを該端末装置に指示するための第３指示情報をネットワーク装置に送信することに更に用いられる。
【０１８０】
選択肢として、該通信ユニット５１０は具体的に、該第３指示情報を含むメッセージ３（ＭＳＧ３）をネットワーク装置に送信することに用いられる。
【０１８１】
理解されるように、装置の実施例と方法の実施例は相互に対応でき、類似する説明については方法の実施例を参照すればよい。具体的に、図７に示される端末装置５００は本願の実施例における方法３００を実行する対応の本体に対応でき、且つ端末装置５００の各ユニットの上記及び他の操作及び／又は機能はそれぞれ図１における各方法の対応するプロセスを実現するためのものであり、簡潔の点から、ここでは重複説明を省略する。
【０１８２】
図８は本願の実施例におけるネットワーク装置６００の模式的なブロック図である。
【０１８３】
具体的に、図８に示すように、該ネットワーク装置６００は、
端末装置から送信された、アイドル状態又は非接続状態にある該端末装置が少なくとも１つのセルにおける各セルの信号品質に応じて生成した情報である測定情報を受信することに用いられる通信ユニット６１０と、
該測定情報に応じて、該端末装置に対して補助ネットワーク装置及び／又は補助サービスセルを構成することに用いられる構成ユニット６２０と、を備えてもよい。
【０１８４】
選択肢として、該通信ユニット６１０は端末装置から送信された測定情報を受信する前に、
該端末装置が上記少なくとも１つのセルを決定するための第１指示情報を、アイドル状態又は非アクティブ状態にある該端末装置にブロードキャストすることに更に用いられ、
該第１指示情報は、上記少なくとも１つのセルが属する少なくとも１つのセルグループの識別子、上記少なくとも１つのセルの識別子、測定周波数及びサブキャリア間隔のうちの少なくとも１つを含む。
【０１８５】
選択肢として、該通信ユニット６１０は端末装置から送信された測定情報を受信する前に、
該端末装置が上記各セルの信号品質が閾値を満たすか否かに応じて該測定情報を生成するための該閾値を該端末装置にブロードキャストすることに更に用いられる。
【０１８６】
選択肢として、該測定情報はターゲットセルグループの識別子及び／又はターゲットセルの識別子を含み、該ターゲットセルグループにおける各セルグループは閾値を満たす少なくとも１つのセルを含み、該ターゲットセルは上記少なくとも１つのセルのうち閾値を満たすセルである。
【０１８７】
選択肢として、該測定情報は上記各セルの信号品質が閾値を満たすか否かを指示するための第２指示情報を含む。
【０１８８】
選択肢として、該第２指示情報は少なくとも１つのビットシーケンスを含み、上記少なくとも１つのビットシーケンスにおける第１ビットシーケンスは上記少なくとも１つのセルグループにおける第１セルグループ中の各セルの信号品質が該閾値を満たすか否かを示すためのものである。
【０１８９】
選択肢として、上記少なくとも１つのビットシーケンスにおける各ビットシーケンスはセルの信号品質が該閾値を満たすことを示すビットを少なくとも１つ有する。
【０１９０】
選択肢として、該第２指示情報は該第１ビットシーケンスと該第１セルグループの識別子との対応関係を更に含む。
【０１９１】
選択肢として、該第１ビットシーケンスは、セルの信号品質が該閾値を満たさないことを示すための第１数値、及び／又は、セルの信号品質が該閾値を満たすことを示すための第２数値を含む。
【０１９２】
選択肢として、該第１数値は０であり、該第２数値は１である。
【０１９３】
選択肢として、該閾値はＲＳＲＰ閾値及び／又はＲＳＲＱ閾値を含む。
【０１９４】
選択肢として、該通信ユニット６１０は具体的に、信号品質の降順で、該端末装置から報告された上記各セルの信号品質を受信することに用いられる。
【０１９５】
選択肢として、該通信ユニット６１０は具体的に、該ネットワーク装置から送信されたメッセージ５（ＭＳＧ５）又はセキュリティモードコマンド又は測定レポートに含まれる該測定情報を受信することに用いられる。
【０１９６】
選択肢として、該通信ユニット６１０は具体的に、端末装置から送信された測定情報を受信する前に、該端末装置から送信された、該測定情報をメッセージ５（ＭＳＧ５）又はセキュリティモードコマンド又は測定レポートに含ませて該ネットワーク装置に報告することを該端末装置に指示するための第３指示情報を受信することに更に用いられる。
【０１９７】
選択肢として、該通信ユニット６１０は具体的に、該端末装置から送信された、該第３指示情報を含むメッセージ３（ＭＳＧ３）を受信することに用いられる。
【０１９８】
理解されるように、装置の実施例と方法の実施例は相互に対応でき、類似する説明については方法の実施例を参照すればよい。具体的に、図８に示されるネットワーク装置６００は本願の実施例における方法４００を実行する対応の本体に対応でき、且つネットワーク装置６００の各ユニットの上記及び他の操作及び／又は機能はそれぞれ図１における各方法の対応するプロセスを実現するためのものであり、簡潔の点から、ここでは重複説明を省略する。
【０１９９】
以上、図７及び図８を参照しながら機能モジュールの視点から本願の実施例における通信装置を説明した。理解されるように、該機能モジュールはハードウェアの形態によって実現されてもよく、ソフトウェア形態の命令によって実現されてもよく、更にハードウェアとソフトウェアモジュールの組み合わせによって実現されてもよい。
【０２００】
具体的に、本願の実施例における方法の実施例の各ステップはプロセッサにおけるハードウェアの集積論理回路及び／又はソフトウェア形態の命令によって実行でき、本願の実施例を参照して開示されている方法のステップは直接にハードウェアデコードプロセッサによって実行され、又はデコードプロセッサにおけるハードウェア及びソフトウェアモジュールの組み合わせによって実行されるようにしてもよい。
【０２０１】
選択肢として、ソフトウェアモジュールはランダムメモリ、フラッシュメモリ、読み出し専用メモリ、プログラマブル読み出し専用メモリ、電気的消去可能プログラマブルメモリ、レジスタ等の本分野の成熟した記憶媒体に位置してもよい。該記憶媒体はメモリに位置し、プロセッサはメモリにおける情報を読み取り、そのハードウェアと組み合わせて上記方法の実施例におけるステップを実行する。
【０２０２】
例えば、本願の実施例では、図７に示される通信ユニット５１０及び図８に示される通信ユニット６１０は送受信機によって実現されてもよく、図７に示される測定ユニット５２０及び図８に示される構成ユニット６２０はプロセッサによって実現されてもよい。
【０２０３】
図９は本願の実施例における通信装置７００の構造模式図である。図９に示される通信装置７００は、メモリからコンピュータプログラムを呼び出して実行して本願の実施例における方法を実現することができるプロセッサ７１０を備える。
【０２０４】
選択肢として、図９に示すように、通信装置７００はメモリ７２０を更に備えてもよい。該メモリ７２０は指示情報を記憶することに用いられてもよく、更にプロセッサ７１０により実行されるコード、命令等を記憶することに用いられてもよい。プロセッサ７１０はメモリ７２０からコンピュータプログラムを呼び出して実行して、本願の実施例における方法を実現するようにしてもよい。
【０２０５】
メモリ７２０はプロセッサ７１０から独立したデバイスであってもよく、プロセッサ７１０に集積されてもよい。
【０２０６】
選択肢として、図９に示すように、通信装置７００は送受信機７３０を更に備えてもよく、プロセッサ７１０は他の装置と通信するように該送受信機７３０を制御してもよく、具体的に、他の装置に情報又はデータを送信し、又は他の装置から送信された情報又はデータを受信するようにしてもよい。
【０２０７】
送受信機７３０は送信機及び受信機を備えてもよい。送受信機７３０はアンテナを更に備えてもよく、アンテナの数は１つ又は複数であってもよい。
【０２０８】
選択肢として、該通信装置７００は本願の実施例におけるネットワーク装置であってもよく、且つ該通信装置７００は本願の実施例における各方法のネットワーク装置により実現される対応するプロセスを実現できる。すなわち、本願の実施例における通信装置７００は本願の実施例における端末装置５００に対応でき、本願の実施例による方法３００を実行する対応の本体に対応でき、簡潔の点から、ここでは重複説明を省略する。
【０２０９】
選択肢として、該通信装置７００は本願の実施例における端末装置であってもよく、且つ該通信装置７００は本願の実施例における各方法の端末装置により実現される対応するプロセスを実現でき、すなわち、本願の実施例における通信装置７００は本願の実施例におけるネットワーク装置６００に対応でき、本願の実施例による方法４００を実行する対応の本体に対応でき、簡潔の点から、ここでは重複説明を省略する。
【０２１０】
理解されるように、該通信装置７００の各ユニットはバスシステムによって接続され、バスシステムはデータバスに加えて、電源バス、制御バス及び状態信号バスを更に含む。
【０２１１】
また、本願の実施例はチップを更に提供し、該チップは集積回路チップであってもよく、信号処理能力を有し、本願の実施例に開示されている各方法、ステップ及びロジックブロック図を実現又は実行できる。
【０２１２】
選択肢として、該チップは各種の通信装置に適用でき、それにより、該チップを搭載した通信装置は本願の実施例に開示されている各方法、ステップ及びロジックブロック図を実行できる。
【０２１３】
図１０は本願の実施例によるチップの構造模式図である。
【０２１４】
図１０に示されるチップ８００は、メモリからコンピュータプログラムを呼び出して実行して本願の実施例における方法を実現することができるプロセッサ８１０を備える。
【０２１５】
選択肢として、図１０に示すように、チップ８００はメモリ８２０を更に備えてもよい。プロセッサ８１０はメモリ８２０からコンピュータプログラムを呼び出して実行して、本願の実施例における方法を実現するようにしてもよい。該メモリ６２０は指示情報を記憶することに用いられてもよく、更にプロセッサ６１０により実行されるコード、命令等を記憶することに用いられてもよい。
【０２１６】
メモリ８２０はプロセッサ８１０から独立したデバイスであってもよく、プロセッサ８１０に集積されてもよい。
【０２１７】
選択肢として、該チップ８００は入力インタフェース８３０を更に備えてもよい。プロセッサ８１０は他の装置又はチップと通信するように該入力インタフェース８３０を制御してもよく、具体的に、他の装置又はチップから送信された情報又はデータを取得してもよい。
【０２１８】
選択肢として、該チップ８００は出力インタフェース８４０を更に備えてもよい。プロセッサ８１０は他の装置又はチップと通信するように該出力インタフェース８４０を制御してもよく、具体的に、他の装置又はチップに情報又はデータを出力するようにしてもよい。
【０２１９】
選択肢として、該チップは本願の実施例におけるネットワーク装置に適用でき、且つ該チップは本願の実施例における各方法のネットワーク装置により実現される対応のプロセスを実現でき、簡潔の点から、ここでは重複説明を省略する。
【０２２０】
選択肢として、該チップは本願の実施例における端末装置に適用でき、且つ該チップは本願の実施例における各方法の端末装置により実現される対応のプロセスを実現でき、簡潔の点から、ここでは重複説明を省略する。
【０２２１】
理解されるように、本願の実施例に係るチップはシステムレベルチップ、システムチップ、チップシステム又はシステムオンチップ等とも呼ばれてもよい。更に、該チップ８００の各ユニットはバスシステムによって接続され、バスシステムはデータバスに加えて、電源バス、制御バス及び状態信号バスを更に含む。
【０２２２】
本願の実施例に係るプロセッサは汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）又は他のプログラマブルロジックデバイス、トランジスタロジック装置、ディスクリートハードウェアユニット等であってもよい。また、汎用プロセッサはマイクロプロセッサであってもよく、又は該プロセッサは任意の通常のプロセッサ等であってもよい。
【０２２３】
また、本願の実施例に係るメモリは揮発性メモリ又は不揮発性メモリであり、又は揮発性メモリ及び不揮発性メモリの両方を含むようにしてもよい。不揮発性メモリは読み出し専用メモリ（ｒｅａｄ−ｏｎｌｙ  ｍｅｍｏｒｙ、ＲＯＭ）、プログラマブル読み出し専用メモリ（ｐｒｏｇｒａｍｍａｂｌｅ  ＲＯＭ、ＰＲＯＭ）、消去可能プログラマブル読み出し専用メモリ（ｅｒａｓａｂｌｅ  ＰＲＯＭ、ＥＰＲＯＭ）、電気的消去可能プログラマブル読み出し専用メモリ（ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（ｒａｎｄｏｍ  ａｃｃｅｓｓ  ｍｅｍｏｒｙ、ＲＡＭ）であってもよく、外部高速キャッシュメモリとして機能する。
【０２２４】
理解されるように、上記メモリは制限的な説明ではなく例示的であり、例えば、本願の実施例におけるメモリは更にスタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレート同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、拡張同期ダイナミックランダムアクセスメモリ（ｅｎｈａｎｃｅｄ  ＳＤＲＡＭ、ＥＳＤＲＡＭ）、シンクリンクダイナミックランダムアクセスメモリ（ｓｙｎｃｈ  ｌｉｎｋ  ＤＲＡＭ、ＳＬＤＲＡＭ）及びダイレクトランバスランダムアクセスメモリ（Ｄｉｒｅｃｔ  Ｒａｍｂｕｓ  ＲＡＭ、ＤＲ  ＲＡＭ）等であってもよい。
【０２２５】
本願の実施例は、コンピュータプログラムを記憶することに用いられるコンピュータ可読記憶媒体を更に提供する。
【０２２６】
選択肢として、該コンピュータ可読記憶媒体は本願の実施例におけるネットワーク装置に適用でき、且つ該コンピュータプログラムによって、コンピュータに本願の実施例における各方法のネットワーク装置により実現される対応のプロセスを実行させ、簡潔の点から、ここでは重複説明を省略する。
【０２２７】
選択肢として、該コンピュータ可読記憶媒体は本願の実施例における移動端末／端末装置に適用でき、且つ該コンピュータプログラムによって、コンピュータに本願の実施例における各方法の移動端末／端末装置により実現される対応のプロセスを実行させ、簡潔の点から、ここでは重複説明を省略する。
【０２２８】
本願の実施例は、コンピュータプログラム命令を含むコンピュータプログラム製品を更に提供する。
【０２２９】
選択肢として、該コンピュータプログラム製品は本願の実施例におけるネットワーク装置に適用でき、且つ該コンピュータプログラム命令によって、コンピュータに本願の実施例における各方法のネットワーク装置により実現される対応のプロセスを実行させ、簡潔の点から、ここでは重複説明を省略する。
【０２３０】
選択肢として、該コンピュータプログラム製品は本願の実施例における移動端末／端末装置に適用でき、且つ該コンピュータプログラム命令によって、コンピュータに本願の実施例における各方法の移動端末／端末装置により実現される対応のプロセスを実行させ、簡潔の点から、ここでは重複説明を省略する。
【０２３１】
本願の実施例はコンピュータプログラムを更に提供する。
【０２３２】
選択肢として、該コンピュータプログラムは本願の実施例におけるネットワーク装置に適用でき、該コンピュータプログラムがコンピュータにより実行されると、コンピュータに本願の実施例における各方法のネットワーク装置により実現される対応のプロセスを実行させ、簡潔の点から、ここでは重複説明を省略する。
【０２３３】
図１１は本願の実施例による通信システム９００の模式的なブロック図である。図１１に示すように、該通信システム９００は端末装置９１０及びネットワーク装置９２０を備える。該端末装置９１０は上記方法３００及び方法４００における端末装置により実現される対応の機能を実現することに用いられ、該端末装置９１０の構成は図７における端末装置５００に示されてもよく、簡潔の点から、ここでは重複説明を省略する。
【０２３４】
該ネットワーク装置９２０は上記方法３００及び方法４００におけるネットワーク装置により実現される対応の機能を実現することに用いられ、該ネットワーク装置９２０の構成は図８におけるネットワーク装置６００に示されてもよく、簡潔の点から、ここでは重複説明を省略する。
【０２３５】
理解されるように、本願の実施例及び添付特許請求の範囲に使用される用語は単に特定の実施例を説明することを目的とし、本願の実施例を限定するためのものではない。
【０２３６】
例えば、本願の実施例及び添付特許請求の範囲に使用される単数形の「１種」、「前記」、「上記」及び「該」は、コンテキストから他の意味が明らかではない限り、複数形も含むものである。
【０２３７】
当業者であれば理解できるように、本明細書に開示されている実施例を参照して説明された各例のユニット及びアルゴリズムのステップは、電子ハードウェア、又はコンピュータソフトウェアと電子ハードウェアの組合せによって実現できる。これらの機能をハードウェアで実行するかソフトウェアで実行するかは、技術案の特定の応用及び設計制約条件に応じて決められる。当業者は本願の実施例の範囲を逸脱せずに、説明された機能を各特定の応用に応じて異なる方法で実現できる。
【０２３８】
ソフトウェア機能ユニットの形態で実現され、独立した製品として販売又は使用される場合、１つのコンピュータ可読記憶媒体に記憶されてもよい。このような理解に基づいて、本願の実施例の技術案は本質的に又は従来技術に貢献する部分又は該技術案の一部はソフトウェア製品の形態で実施され得ており、該コンピュータソフトウェア製品は１つの記憶媒体に記憶され、１つのコンピュータ装置（パーソナルコンピュータ、サーバ、又はネットワーク装置等であってもよい）に本願の実施例に係る方法の全部又は一部のステップを実行させるための複数の命令を含む。上記記憶媒体はＵディスク、モバイルディスク、読み出し専用メモリ、ランダムアクセスメモリ、磁気ディスク又は光ディスク等のプロクラムコードを記憶可能な種々の媒体を含む。
【０２３９】
当業者であれば理解できるように、説明の便宜及び簡潔上、上記説明したシステム、装置及びユニットの具体的な動作プロセスについては、上記方法の実施例の対応するプロセスを参照すればよいため、ここで詳細説明を省略する。
【０２４０】
本願によるいくつかの実施例では、開示されているシステム、装置及び方法を他の形態で実現できると理解できる。
【０２４１】
例えば、以上説明された装置の実施例におけるユニット又はモジュール又は要素の分割は、単に１種のロジック機能分割であり、実際の実現では別の分割方式を採用してもよく、例えば複数のユニット又はモジュール又は要素を他のシステムに結合又は集積し、又はいくつかのユニット又はモジュール又は要素を無視したり実行しなかったりするようにしてもよい。
【０２４２】
また例えば、上記分離／表示部材として説明されるユニット／モジュール／要素は物理的に分離しているものであってもよく、物理的に分離しているものでなくてもよく、即ち、１つの場所に位置してもよく、複数のネットワークユニットに分散してもよい。実際の必要に応じて一部又は全部のユニット／モジュール／要素を選択して本願の実施例の技術案の目的を実現することができる。
【０２４３】
最後に、なお、以上表示又は検討された相互の結合又は直接結合又は通信接続はいくつかのインタフェース、装置又はユニットを介した間接結合又は通信接続であってもよく、電気的、機械的又は他の形態としてもよい。
【０２４４】
以上は、本願の実施例の具体的な実施形態に過ぎず、本願の実施例の保護範囲はこれに限定されるものではなく、当業者が本願の実施例に開示される技術的範囲を逸脱せずに容易に想到し得る変更や置換は、すべて本願の実施例の保護範囲に属する。従って、本願の実施例の保護範囲は特許請求の範囲の保護範囲に準じるべきである。
【図１】
2021525038.tif 000003
【図２】
2021525038.tif 000004
【図３】
2021525038.tif 000005
【図４】
2021525038.tif 000006
【図５】
2021525038.tif 000007
【図６】
2021525038.tif 000008
【図７】
2021525038.tif 000009
【図８】
2021525038.tif 000010
【図９】
2021525038.tif 000011
【図１０】
2021525038.tif 000012
【図１１】
2021525038.tif 000013
【手続補正書】
【提出日】令和2年11月19日(2020.11.19)
【手続補正１】
【補正対象書類名】明細書
【補正対象項目名】００２３
【補正方法】変更
【補正の内容】
【００２３】
第２態様では端末装置の構成方法を提供し、
ネットワーク装置は端末装置から送信された、アイドル状態又は非アクティブ状態にある該端末装置が少なくとも１つのセルにおける各セルの信号品質に応じて生成した情報である測定情報を受信することと、
該ネットワーク装置が該測定情報に応じて、該端末装置に対して補助ネットワーク装置及び／又は補助サービスセルを構成することと、を含む。
【手続補正２】
【補正対象書類名】明細書
【補正対象項目名】００６７
【補正方法】変更
【補正の内容】
【００６７】
例えば、該第１通信システム及び該第２通信システムは、例えば、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ロングタームエボリューション（Ｌｏｎｇ  Ｔｅｒｍ  Ｅｖｏｌｕｔｉｏｎ、ＬＴＥ）システム、ＬＴＥ時分割複信（Ｔｉｍｅ  Ｄｉｖｉｓｉｏｎ  Ｄｕｐｌｅｘ、ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）等の各種の通信システムであってもよい。
【手続補正３】
【補正対象書類名】明細書
【補正対象項目名】００７１
【補正方法】変更
【補正の内容】
【００７１】
選択肢として、該アクセスネットワーク装置はモバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム又は符号分割多元接続（Ｃｏｄｅ  Ｄｉｖｉｓｉｏｎ  Ｍｕｌｔｉｐｌｅ  Ａｃｃｅｓｓ、ＣＤＭＡ）システムにおける基地局（Ｂａｓｅ  Ｔｒａｎｓｃｅｉｖｅｒ  Ｓｔａｔｉｏｎ、ＢＴＳ）であってもよく、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システムにおける基地局（ＮｏｄｅＢ、ＮＢ）であってもよく、更にロングタームエボリューション（Ｌｏｎｇ  Ｔｅｒｍ  Ｅｖｏｌｕｔｉｏｎ、ＬＴＥ）システムにおける発展型基地局（Ｅｖｏｌｕｔｉｏｎａｌ  Ｎｏｄｅ  Ｂ、  ｅＮＢ又はｅＮｏｄｅＢ）であってもよい。
【手続補正４】
【補正対象書類名】明細書
【補正対象項目名】００８３
【補正方法】変更
【補正の内容】
【００８３】
なお、図２に示されるネットワークアーキテクチャ２００は単にデュアル接続ネットワークアーキテクチャの例示的な説明であり、本発明の実施例はこれに限定されない。例えば、他の代替実施例では、該ネットワークアーキテクチャ２００を簡単に変形してもよく、例えば、一例として、該ｇＮＢ  ２２１及び／又はｇＮＢ  ２２２はＥＰＣ（即ち、ＭＭＥ／Ｓ−ＧＷ  ２１１及びＭＭＥ／Ｓ−ＧＷ  ２１２）に直接に接続されなくてもよい。更に理解されるように、図２に示されるＥＮ−ＤＣは単にデュアル接続ネットワークアーキテクチャの例であり、本発明の実施例におけるＤＣモードはＥＮ−ＤＣ、ＮＥ−ＤＣ、５ＧＣ−ＥＮ−ＤＣ、及びＮＲ  ＤＣに限定されない。ＥＮ−ＤＣでは、ＬＴＥノードはＭＮノードとし、ＮＲノードはＳＮノードとし、ＥＰＣコアネットワークに接続される。ＮＥ−ＤＣでは、ＮＲはＭＮノードとし、ｅＬＴＥはＳＮノードとし、５ＧＣコアネットワークに接続される。５ＧＣ−ＥＮ−ＤＣでは、ｅＬＴＥはＭＮノードとし、ＮＲはＳＮノードとし、５ＧＣコアネットワークに接続される。ＮＲ  ＤＣでは、ＮＲはＭＮノードとし、ＮＲはＳＮノードとし、５ＧＣコアネットワークに接続される。
【手続補正５】
【補正対象書類名】明細書
【補正対象項目名】００８４
【補正方法】変更
【補正の内容】
【００８４】
デュアル接続ネットワークアーキテクチャでは、データプレーン無線ベアラはＭＮ又はＳＮにより個別にサービスされてもよく、ＭＮ及びＳＮにより同時にサービスされてもよい。ＭＮのみによりサービスされる場合、ＭＣＧベアラ（ｂｅａｒｅｒ）と呼ばれ、即ち、ＭＮにより制御されるサービスセルグループである。ＳＮのみによりサービスされる場合、ＳＣＧベアラと呼ばれ、即ち、ＳＮにより制御されるサービスセルグループである。ＭＮ及びＳＮにより同時にサービスされる場合、スプリットベアラ（ｓｐｌｉｔ  ｂｅａｒｅｒ）と呼ばれ、分割ベアラとも呼ばれる。具体的に、ＭＣＧ  ｓｐｌｉｔ  ｂｅａｒｅｒ及びＳＣＧ  ｓｐｌｉｔ  ｂｅａｒｅｒに分けられてもよい。ＭＣＧ  ｓｐｌｉｔ  ｂｅａｒｅｒとＳＣＧ  ｓｐｌｉｔ  ｂｅａｒｅｒの相違点は主にパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層の機能及びＰＤＣＰ層の鍵が異なることである。本願の実施例では、ＭＣＧ  ｓｐｌｉｔ  ｂｅａｒｅｒとＳＣＧ  ｓｐｌｉｔ  ｂｅａｒｅｒとの間の変更を最小化し、標準化難易度を低減させ、テストの作業及び市販製品の特性細分化の最小化を実現させ、選択肢として、ｂｅａｒｅｒ調和（ｈａｒｍｏｎｉｚａｔｉｏｎ）の概念を提案し、即ち、図３に示すように、ＭＣＧ  ｓｐｌｉｔ  ｂｅａｒｅｒとＳＣＧ  ｓｐｌｉｔ  ｂｅａｒｅｒは１つのベアラタイプとして統一され、即ちＳｐｌｉｔ  ｂｅａｒｅｒであり、すなわち、このｓｐｌｉｔの形式はＵＥにとって透明である。
【手続補正６】
【補正対象書類名】明細書
【補正対象項目名】０１１０
【補正方法】変更
【補正の内容】
【０１１０】
以下、該第２指示情報の具体的な形式を例示的に説明する。
【手続補正７】
【補正対象書類名】明細書
【補正対象項目名】０１３２
【補正方法】変更
【補正の内容】
【０１３２】
端末装置はランダムアクセスプリアンブル（Ｐｒｅａｍｂｌｅ）を含み得るメッセージ１（ＭＳＧ１）をネットワーク装置に送信する。ネットワーク装置は端末装置から送信されたＭＳＧ１を受信した後、該ＭＳＧ１に応答する応答メッセージであるメッセージ２（ＭＳＧ２）を送信してもよい。ネットワーク装置は該ＭＳＧ１のリソース位置に応じて、ランダムアクセス無線ネットワーク一時識別子（Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ、ＲＡ−ＲＮＴＩ）を計算し、該ＲＡ−ＲＮＴＩを利用して該ＭＳＧ２をスクランブルするようにしてもよい。端末装置は該ＭＳＧ２を受信した後、該ＭＳＧ２に応じてメッセージ３（ＭＳＧ３）をネットワーク装置に送信するようにしてもよい。選択肢として、該ＭＳＧ３には端末装置の識別子情報等が含まれてもよい。ネットワーク装置は端末から送信されたＭＳＧ３を受信した後、該ＭＳＧ３に応じて、メッセージ４（ＭＳＧ４）を端末に送信するようにしてもよい。端末装置は該ＭＳＧ４を受信した後、該ＭＳＧ４がその自体に対するものであることを決定すると、該ＭＳＧ４に応じて、メッセージ５（ＭＳＧ５）をネットワーク装置に送信して、後続のデータ伝送を行うようにしてもよい。その後、端末装置はネットワーク装置から送信されたセキュリティモードコマンドを受信した後、セキュリティモードに入り、セキュリティモード完了通知をネットワーク装置に送信し、更に測定レポートをネットワーク装置に送信する。
【手続補正８】
【補正対象書類名】明細書
【補正対象項目名】０１４６
【補正方法】変更
【補正の内容】
【０１４６】
Ｓ４１０では、ネットワーク装置は端末装置から送信された、アイドル状態又は非アクティブ状態にある該端末装置が少なくとも１つのセルにおける各セルの信号品質に応じて生成した情報である測定情報を受信する。
【手続補正９】
【補正対象書類名】明細書
【補正対象項目名】０１４８
【補正方法】変更
【補正の内容】
【０１４８】
具体的に、ネットワーク装置は該端末装置から報告された測定情報に基づいて、適切な補助ネットワーク装置及び／又は補助サービスセルを選択して追加する。
【手続補正１０】
【補正対象書類名】明細書
【補正対象項目名】０１８３
【補正方法】変更
【補正の内容】
【０１８３】
具体的に、図８に示すように、該ネットワーク装置６００は、
端末装置から送信された、アイドル状態又は非アクティブ状態にある該端末装置が少なくとも１つのセルにおける各セルの信号品質に応じて生成した情報である測定情報を受信することに用いられる通信ユニット６１０と、
該測定情報に応じて、該端末装置に対して補助ネットワーク装置及び／又は補助サービスセルを構成することに用いられる構成ユニット６２０と、を備えてもよい。
【手続補正１１】
【補正対象書類名】明細書
【補正対象項目名】０２１５
【補正方法】変更
【補正の内容】
【０２１５】
選択肢として、図１０に示すように、チップ８００はメモリ８２０を更に備えてもよい。プロセッサ８１０はメモリ８２０からコンピュータプログラムを呼び出して実行して、本願の実施例における方法を実現するようにしてもよい。該メモリ８２０は指示情報を記憶することに用いられてもよく、更にプロセッサ８１０により実行されるコード、命令等を記憶することに用いられてもよい。
【手続補正１２】
【補正対象書類名】特許請求の範囲
【補正対象項目名】全文
【補正方法】変更
【補正の内容】
【特許請求の範囲】
【請求項１】
測定情報の報告方法であって、アイドル状態又は非アクティブ状態にある端末装置に適用され、前記方法は、
前記端末装置が少なくとも１つのセルの信号品質を測定することと、
前記端末装置が前記少なくとも１つのセルにおける各セルの信号品質に応じて測定情報を報告することと、を含むことを特徴とする測定情報の報告方法。
【請求項２】
前記端末装置が少なくとも１つのセルの信号品質を測定する前に、前記方法は更に、
前記端末装置がネットワーク装置からブロードキャストされた第１指示情報を受信することと、
前記端末装置が前記第１指示情報に応じて前記少なくとも１つのセルを決定することと、を含み、
前記第１指示情報は、前記少なくとも１つのセルの識別子、測定周波数及びサブキャリア間隔のうちの少なくとも１つを含むことを特徴とする請求項１に記載の方法。
【請求項３】
前記端末装置が前記少なくとも１つのセルにおける各セルの信号品質に応じて測定情報を報告することは、
前記端末装置が信号品質の降順で前記各セルの信号品質を前記ネットワーク装置に報告することを含むことを特徴とする請求項１又は２に記載の方法。
【請求項４】
前記端末装置が前記少なくとも１つのセルにおける各セルの信号品質に応じて測定情報を報告することは、
前記端末装置が前記測定情報をメッセージ５（ＭＳＧ５）又はセキュリティモードコマンド又は測定レポートに含ませて、前記ネットワーク装置に報告することを含むことを特徴とする請求項１〜３のいずれか一項に記載の方法。
【請求項５】
端末装置の構成方法であって、
ネットワーク装置は端末装置から送信された、アイドル状態又は非アクティブ状態にある前記端末装置が少なくとも１つのセルにおける各セルの信号品質に応じて生成した情報である測定情報を受信することと、
前記ネットワーク装置は前記測定情報に応じて、前記端末装置に対して補助ネットワーク装置及び／又は補助サービスセルを構成することと、を含むことを特徴とする端末装置の構成方法。
【請求項６】
前記ネットワーク装置が端末装置から送信された測定情報を受信する前に、前記方法は更に、
前記ネットワーク装置は前記端末装置が前記少なくとも１つのセルを決定するための第１指示情報を、アイドル状態又は非アクティブ状態にある前記端末装置にブロードキャストすることを含み、
前記第１指示情報は、前記少なくとも１つのセルの識別子、測定周波数及びサブキャリア間隔のうちの少なくとも１つを含むことを特徴とする請求項５に記載の方法。
【請求項７】
前記ネットワーク装置が端末装置から送信された測定情報を受信することは、
前記ネットワーク装置が信号品質の降順で、前記端末装置から報告された前記各セルの信号品質を受信することを含むことを特徴とする請求項５又は６に記載の方法。
【請求項８】
前記ネットワーク装置が端末装置から送信された測定情報を受信することは、
前記ネットワーク装置が、前記端末装置から送信されたメッセージ５（ＭＳＧ５）又はセキュリティモードコマンド又は測定レポートに含まれる前記測定情報を受信することを含むことを特徴とする請求項５〜７のいずれか一項に記載の方法。
【請求項９】
端末装置であって、アイドル状態又は非アクティブ状態にあり、
少なくとも１つのセルの信号品質を測定することに用いられる測定ユニットと、
前記少なくとも１つのセルにおける各セルの信号品質に応じて測定情報を報告することに用いられる通信ユニットと、を備えることを特徴とする端末装置。
【請求項１０】
ネットワーク装置であって、
端末装置から送信された、アイドル状態又は非アクティブ状態にある前記端末装置が少なくとも１つのセルにおける各セルの信号品質に応じて生成した情報である測定情報を受信することに用いられる通信ユニットと、
前記測定情報に応じて、前記端末装置に対して補助ネットワーク装置及び／又は補助サービスセルを構成することに用いられる構成ユニットと、を備えることを特徴とするネットワーク装置。
【請求項１１】
請求項１〜４のいずれか一項に記載の方法を実行するための命令を含むコンピュータプログラムを、メモリから呼び出して実行することに用いられるプロセッサを備えることを特徴とするチップ。
【請求項１２】
請求項５〜８のいずれか一項に記載の方法を実行するための命令を含むコンピュータプログラムを、メモリから呼び出して実行することに用いられるプロセッサを備えることを特徴とするチップ。
【請求項１３】
請求項１〜４のいずれか一項に記載の方法を実行するための命令を含むコンピュータプログラムを記憶することに用いられることを特徴とする記憶媒体。
【請求項１４】
請求項５〜８のいずれか一項に記載の方法を実行するための命令を含むコンピュータプログラムを記憶することに用いられることを特徴とする記憶媒体。
【請求項１５】
通信システムであって、アイドル状態又は非アクティブ状態にある端末装置、及びネットワーク装置を備え、
前記端末装置は、少なくとも１つのセルの信号品質を測定し、前記少なくとも１つのセルにおける各セルの信号品質に応じて測定情報を報告することに用いられ、
前記ネットワーク装置は、端末装置から送信された測定情報を受信し、前記測定情報に応じて、前記端末装置に対して補助ネットワーク装置及び／又は補助サービスセルを構成することに用いられることを特徴とする通信システム。
【国際調査報告】
2021525038.tif 000014
2021525038.tif 000015
2021525038.tif 000016
2021525038.tif 000017